(57)【要約】  ワイヤレス通信のための方法、装置、およびコンピュータプログラム製品が提供され、装置は、１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、決定することであって、第１の基地局と関連付けられるブロードキャストチャネルの受信が、第２の基地局からの１つまたは複数の送信に少なくとも一部基づいて干渉される、決定することと、決定されたブロードキャストチャネルスケジューリング情報に基づいて、ペイロードを受信することとを行うことができる。
2013524738.tif 000002
【特許請求の範囲】
【請求項１】
１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、決定することであって、前記第１の基地局と関連付けられる前記ブロードキャストチャネルの受信が、第２の基地局からの１つまたは複数の送信に少なくとも一部基づいて干渉される、決定することと、
前記決定されたブロードキャストチャネルスケジューリング情報に基づいて、前記ペイロードを受信することと
を備える、ワイヤレス通信の方法。
【請求項２】
前記１つまたは複数のブロードキャストチャネル干渉調整方式の１つが、
前記第２の基地局によるブロードキャストにおいて、前記ブロードキャストチャネルスケジューリング情報を受信することを備え、前記第２の基地局からの前記ブロードキャストが、前記第２の基地局と関連付けられるブロードキャスト情報と、前記第１の基地局と関連付けられる前記ブロードキャストチャネルスケジューリング情報とを含む、請求項１に記載の方法。
【請求項３】
前記第２の基地局が、バックホールネットワーク接続を通じて、前記第１の基地局から前記ブロードキャストチャネルスケジューリング情報を取得する、請求項２に記載の方法。
【請求項４】
前記１つまたは複数のブロードキャストチャネル干渉調整方式の１つが、
第１のサブフレームにおいて、前記ペイロードのための前記ブロードキャストチャネルスケジューリング情報を受信することと、
前記第１のサブフレームで受信された前記ブロードキャストチャネルスケジューリング情報を用いて、第２のサブフレームにおいて前記ペイロードを受信することと
を備える、請求項１に記載の方法。
【請求項５】
前記第１のサブフレームが前記第２のサブフレームよりも前に発生し、前記第１のサブフレームが、前記第１の基地局のための保護されたサブフレームであり、ユーザ装置（ＵＥ）が、前記保護されたサブフレームの間に、前記第２の基地局から、閾値よりも小さな干渉を受ける、請求項４に記載の方法。
【請求項６】
前記第１のサブフレームが、前記第２のサブフレームの前のサブフレームの定められたウィンドウ内で発生し、前記定められたウィンドウが、少なくとも１つの保護されたサブフレームを備える、請求項５に記載の方法。
【請求項７】
前記１つまたは複数のブロードキャストチャネル干渉調整方式の１つが、
第１のサブフレームにおいて、前記ブロードキャストチャネルスケジューリング情報の第１のインスタンスを受信することと、
第２のサブフレームにおいて、前記ブロードキャストスケジューリング情報の第２のインスタンスを受信することと、
前記ブロードキャストスケジューリング情報の前記第１のインスタンスおよび前記第２のインスタンスが異なると判定することと、
前記ブロードキャストチャネルスケジューリング情報の第３のインスタンスを取得することであって、前記第３のインスタンスが、
前記第１のブロードキャストチャネルスケジューリング情報と、前記ブロードキャストの前記第２のインスタンスとのいずれかを選択して、選択されないインスタンスを無視すること、
前記ブロードキャストスケジューリング情報の前記第１のインスタンスと前記第２のインスタンスの両方に、可能性のメトリックを適用して、より可能性の高いインスタンスを決定すること、または、
前記ブロードキャストスケジューリング情報の前記第１のインスタンスと前記第２のインスタンスとをソフトコンバインして、前記第３のインスタンスを生成すること
のうちの少なくとも１つによって取得される、取得することと
を備える、請求項１に記載の方法。
【請求項８】
前記第１の基地局と関連付けられる前記ペイロードが、デフォルトのブロードキャストスケジューリング情報に基づいて受信され、前記デフォルトのブロードキャストスケジューリング情報がＵＥにハードコードされる、請求項１に記載の方法。
【請求項９】
前記デフォルトのスケジューリング情報が、前記第１の基地局の電力クラスとセル識別子のうちの少なくとも１つに依存する、請求項８に記載の方法。
【請求項１０】
第２のペイロードを受け取ることをさらに備え、前記第２のペイロードが第１のサブフレームで送信され、前記第１のサブフレームが、前記第１の基地局のための保護されたサブフレームであり、前記第２のペイロードが、ＳＩＢ２、ＳＩＢ３、ＳＩＢ４、またはＳＩＢ５の少なくとも１つを備える、請求項１に記載の方法。
【請求項１１】
前記１つまたは複数のブロードキャストチャネル干渉調整方式の１つが、
第１のサブフレームにおいて、前記ペイロードの第２のインスタンスを受信することを備え、前記第１のサブフレームが、前記第１の基地局のための保護されたサブフレームではない、請求項１に記載の方法。
【請求項１２】
前記ペイロードの前記第２のインスタンスが受信され得るように、前記第２の基地局がバックオフし、前記バックオフが、前記ペイロードの前記第２のインスタンスをブロードキャストするように、前記第１の基地局によって用いられる１つまたは複数のサブフレームに対して構成される、請求項１１に記載の方法。
【請求項１３】
前記ペイロードの前記第２のインスタンスが受信され得るように、前記第２の基地局がバックオフし、前記バックオフが、
前記第２の基地局による送信電力を低減すること、または、
前記ペイロードの前記第２のインスタンスを送信するために、前記第１の基地局によって用いられる１つまたは複数のサブフレームでの、前記第２の基地局による送信を避けること
のうちの少なくとも１つのために構成される、請求項１１に記載の方法。
【請求項１４】
前記１つまたは複数のブロードキャストチャネル干渉調整方式の１つが、データチャネルを用いて、前記ブロードキャストチャネルスケジューリング情報の第２のインスタンスを受信することを備える、請求項１に記載の方法。
【請求項１５】
前記データチャネルがＰＤＳＣＨであり、前記ブロードキャストチャネルスケジューリング情報の前記第２のインスタンスが、ある場所において前記ＰＤＳＣＨに組み込まれ、前記ブロードキャストチャネルスケジューリング情報が、前記第２の基地局によって送信されているコンテンツとは直交して別個である、請求項１４に記載の方法。
【請求項１６】
前記ブロードキャストチャネルスケジューリング情報の前記第２のインスタンスの前記場所が、前記第１の基地局と第２の基地局の間でネゴシエーションされる、請求項１５に記載の方法。
【請求項１７】
前記ブロードキャストチャネルスケジューリング情報の前記第２のインスタンスが、前記第１の基地局のための、単一周波数ネットワークを通じたマルチメディアブロードキャスト（ＭＢＳＦＮ）のサブフレームに組み込まれる、請求項１４に記載の方法。
【請求項１８】
前記第１の基地局のための前記ＭＢＳＦＮサブフレームが、前記第２の基地局のためのＭＢＳＦＮサブフレームと揃えられる、請求項１７に記載の方法。
【請求項１９】
前記受信することがさらに、第１のサブフレームの間に、前記第１の基地局と関連付けられた前記ペイロードを受信することを備え、前記第２の基地局と関連付けられたペイロードが、前記第１のサブフレームの間に前記第２の基地局から受信され、前記第１の基地局と関連付けられた前記ペイロードおよび前記第２の基地局と関連付けられた前記ペイロードが、別々の周波数リソースに割り当てられる、請求項１に記載の方法。
【請求項２０】
前記別々の周波数リソースが静的に割り当てられる、請求項１９に記載の方法。
【請求項２１】
前記別々の周波数リソースが、バックホールネットワーク接続を通じて、前記第１の基地局と前記第２の基地局との間でネゴシエーションされる、請求項１９に記載の方法。
【請求項２２】
前記ペイロードが、システム情報ブロックタイプ１（ＳＩＢ１）とページングメッセージとのいずれかを備える、請求項１に記載の方法。
【請求項２３】
前記第１の基地局から受信される電力が、前記第２の基地局から受信される電力よりも小さい、請求項１に記載の方法。
【請求項２４】
前記第１の基地局がピコセルであり、前記第２の基地局がマクロセルである、請求項１に記載の方法。
【請求項２５】
前記第１の基地局がマクロセルであり、前記第２の基地局がフェムトセルである、請求項１に記載の方法。
【請求項２６】
１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、決定するための手段であって、前記第１の基地局と関連付けられる前記ブロードキャストチャネルの受信が、第２の基地局からの１つまたは複数の送信に少なくとも一部基づいて干渉される、手段と、
前記決定されたブロードキャストチャネルスケジューリング情報に基づいて、前記ペイロードを受信するための手段と
を備える、ワイヤレス通信のための装置。
【請求項２７】
１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、決定することであって、前記第１の基地局と関連付けられる前記ブロードキャストチャネルの受信が、第２の基地局からの１つまたは複数の送信に少なくとも一部基づいて干渉される、決定することと、
前記決定されたブロードキャストチャネルスケジューリング情報に基づいて、前記ペイロードを受信することと
のためのコードを備えるコンピュータ可読媒体
を備えるコンピュータプログラム製品。
【請求項２８】
１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を決定することであって、前記第１の基地局と関連付けられる前記ブロードキャストチャネルの受信が、第２の基地局からの１つまたは複数の送信に少なくとも一部基づいて干渉される、決定することと、
前記決定されたブロードキャストチャネルスケジューリング情報に基づいて、前記ペイロードを受信することと
を行うように構成される処理システム
を備える、ワイヤレス通信のための装置。
【請求項２９】
前記処理システムがさらに、
前記第２の基地局によるブロードキャストにおいて、前記ブロードキャストチャネルスケジューリング情報を受信するように構成され、前記第２の基地局からの前記ブロードキャストが、前記第２の基地局のためのブロードキャスト情報と、前記第１の基地局と関連付けられる前記ブロードキャストチャネルスケジューリング情報とを含む、請求項２８に記載の装置。
【請求項３０】
前記第２の基地局が、バックホールネットワーク接続を通じて、前記第１の基地局から前記ブロードキャストチャネルスケジューリング情報を取得する、請求項２９に記載の装置。
【請求項３１】
前記処理システムがさらに、
第１のサブフレームにおいて、前記ペイロードのための前記ブロードキャストチャネルスケジューリング情報を受信し、
前記第１のサブフレームで受信された前記ブロードキャストチャネルスケジューリング情報を用いて、第２のサブフレームにおいて前記ペイロードを受信する
ように構成される、請求項２９に記載の装置。
【請求項３２】
前記第１のサブフレームが前記第２のサブフレームよりも前に発生し、前記第１のサブフレームが、前記第１の基地局のための保護されたサブフレームであり、ユーザ装置（ＵＥ）が、前記保護されたサブフレームの間に、前記第２の基地局から、閾値よりも小さな干渉を受ける、請求項３１に記載の装置。
【請求項３３】
前記第１のサブフレームが、前記第２のサブフレームの前のサブフレームの定められたウィンドウ内で発生し、前記定められたウィンドウが、少なくとも１つの保護されたサブフレームを備える、請求項３２に記載の装置。
【請求項３４】
前記処理システムがさらに、
第１のサブフレームにおいて、前記ブロードキャストチャネルスケジューリング情報の第１のインスタンスを受信し、
第２のサブフレームにおいて、前記ブロードキャストスケジューリング情報の第２のインスタンスを受信し、
前記ブロードキャストスケジューリング情報の前記第１のインスタンスおよび前記第２のインスタンスが異なると判定し、
前記ブロードキャストチャネルスケジューリング情報の第３のインスタンスを取得する
ように構成され、前記第３のインスタンスが、
前記第１のブロードキャストチャネルスケジューリング情報と、前記ブロードキャストの前記第２のインスタンスとのいずれかを選択して、選択されないインスタンスを無視すること、
前記ブロードキャストスケジューリング情報の前記第１のインスタンスと前記第２のインスタンスの両方に、可能性のメトリックを適用して、より可能性の高いインスタンスを決定すること、または、
前記ブロードキャストスケジューリング情報の前記第１のインスタンスと前記第２のインスタンスとをソフトコンバインして、前記第３のインスタンスを生成すること
のうちの少なくとも１つによって取得される、請求項２８に記載の装置。
【請求項３５】
前記第１の基地局と関連付けられる前記ペイロードが、デフォルトのブロードキャストスケジューリング情報に基づいて受信され、前記デフォルトのブロードキャストスケジューリング情報がＵＥにハードコードされる、請求項２８に記載の装置。
【請求項３６】
前記デフォルトのスケジューリング情報が、前記第１の基地局の電力クラスとセル識別子のうちの少なくとも１つに依存する、請求項３５に記載の装置。
【請求項３７】
前記処理システムがさらに、
第２のペイロードを受け取るように構成され、前記第２のペイロードが第１のサブフレームで送信され、前記第１のサブフレームが、前記第１の基地局のための保護されたサブフレームであり、前記第２のペイロードが、ＳＩＢ２、ＳＩＢ３、ＳＩＢ４、またはＳＩＢ５の少なくとも１つを備える、請求項２８に記載の装置。
【請求項３８】
前記処理システムがさらに、
第１のサブフレームにおいて、前記ペイロードの第２のインスタンスを受信するように構成され、前記第１のサブフレームが、前記第１の基地局のための保護されたサブフレームではない、請求項２８に記載の装置。
【請求項３９】
前記ペイロードの前記第２のインスタンスが受信され得るように、前記第２の基地局がバックオフし、前記バックオフが、前記ペイロードの前記第２のインスタンスをブロードキャストするように、前記第１の基地局によって用いられる１つまたは複数のサブフレームに対して構成される、請求項３８に記載の装置。
【請求項４０】
前記ペイロードの前記第２のインスタンスが受信され得るように、前記第２の基地局がバックオフし、前記処理システムがさらに、
前記第２の基地局による送信電力を低減すること、または、
前記ペイロードの前記第２のインスタンスを送信するために、前記第１の基地局によって用いられる１つまたは複数のサブフレームでの、前記第２の基地局による送信を避けること
のうちの少なくとも１つのために構成される、請求項３８に記載の装置。
【請求項４１】
前記１つまたは複数のブロードキャストチャネル干渉調整方式の１つが、データチャネルを用いて、前記ブロードキャストチャネルスケジューリング情報の第２のインスタンスを受信することを備える、請求項２８に記載の装置。
【請求項４２】
前記データチャネルがＰＤＳＣＨであり、前記ブロードキャストチャネルスケジューリング情報の前記第２のインスタンスが、ある場所において前記ＰＤＳＣＨに組み込まれ、前記ブロードキャストチャネルスケジューリング情報が、前記第２の基地局によって送信されているコンテンツとは直交して別個である、請求項４１に記載の装置。
【請求項４３】
前記ブロードキャストチャネルスケジューリング情報の前記第２のインスタンスの前記場所が、前記第１の基地局と第２の基地局の間でネゴシエーションされる、請求項４２に記載の装置。
【請求項４４】
前記ブロードキャストチャネルスケジューリング情報の前記第２のインスタンスが、前記第１の基地局のための、単一周波数ネットワークを通じたマルチメディアブロードキャスト（ＭＢＳＦＮ）のサブフレームに組み込まれる、請求項４１に記載の装置。
【請求項４５】
前記第１の基地局のための前記ＭＢＳＦＮサブフレームが、前記第２の基地局のためのＭＢＳＦＮサブフレームと揃えられる、請求項４４に記載の装置。
【請求項４６】
前記処理システムがさらに、第１のサブフレームの間に、前記第１の基地局と関連付けられた前記ペイロードを受信するように構成され、前記第２の基地局と関連付けられたペイロードが、前記第１のサブフレームの間に前記第２の基地局から受信され、前記第１の基地局と関連付けられた前記ペイロードおよび前記第２の基地局と関連付けられた前記ペイロードが、別々の周波数リソースに割り当てられる、請求項２８に記載の装置。
【請求項４７】
前記別々の周波数リソースが、バックホールネットワーク接続を通じて、静的に、または、前記第１の基地局と前記第２の基地局との間でネゴシエーションされて、割り当てられる、請求項４６に記載の装置。
【請求項４８】
前記別々の周波数リソースが、バックホールネットワーク接続を通じて、前記第１の基地局と前記第２の基地局との間でネゴシエーションされる、請求項４６に記載の装置。
【請求項４９】
前記ペイロードが、システム情報ブロックタイプ１（ＳＩＢ１）とページングメッセージとのいずれかを備える、請求項２８に記載の装置。
【請求項５０】
前記第１の基地局についての受信電力が、前記第２の基地局についての受信電力よりも小さい、請求項２８に記載の装置。
【請求項５１】
前記第１の基地局がピコセルであり、前記第２の基地局がマクロセルである、請求項２８に記載の装置。
【請求項５２】
前記第１の基地局がマクロセルであり、前記第２の基地局がフェムトセルである、請求項２８に記載の装置。
【請求項５３】
第１の基地局のためのワイヤレス通信の方法であって、
前記第１の基地局によって、１つまたは複数のブロードキャストチャネル干渉調整方式に基づいて、前記第１の基地局と関連付けられたペイロードのためのブロードキャストチャネルスケジューリング情報を送信することであって、第２の基地局からの干渉が、前記第１の基地局によってブロードキャストされる前記ブロードキャストチャネルスケジューリング情報の受信に干渉する、送信することと、
前記１つまたは複数のブロードキャストチャネル干渉方式に基づいて、前記ペイロードを送信することと
を備える、方法。
【請求項５４】
前記１つまたは複数のブロードキャストチャネル干渉調整方式の１つが、
バックホール接続を通じて、前記ブロードキャストチャネルスケジューリング情報を前記第２の基地局に送信することを備え、前記第２の基地局からのブロードキャストが、前記第２の基地局のためのブロードキャスト情報と、前記第１の基地局と関連付けられる前記ブロードキャストチャネルスケジューリング情報とを含む、請求項５３に記載の方法。
【請求項５５】
前記１つまたは複数のブロードキャストチャネル干渉調整方式の１つが、
第１のサブフレームにおいて、前記ペイロードのための前記ブロードキャストチャネルスケジューリング情報を送信することと、
前記第１のサブフレームで送信された前記ブロードキャストチャネルスケジューリング情報に基づいて、第２のサブフレームにおいて前記ペイロードを送信することと
を備える、請求項５３に記載の方法。
【請求項５６】
前記第１のサブフレームが前記第２のサブフレームの前に発生し、前記第１のサブフレームが前記第１の基地局のための保護されたサブフレームである、請求項５５に記載の方法。
【請求項５７】
前記第１のサブフレームが、前記第２のサブフレームの前のサブフレームの定められたウィンドウ内で発生し、前記定められたウィンドウが、少なくとも１つの保護されたサブフレームを備える、請求項５６に記載の方法。
【請求項５８】
前記第１の基地局と関連付けられる前記ペイロードが、デフォルトのスケジューリング情報に基づいてブロードキャストされ、前記デフォルトのブロードキャストスケジューリング情報がＵＥにハードコードされる、請求項５３に記載の方法。
【請求項５９】
前記デフォルトのスケジューリング情報が、前記第１の基地局の電力クラスとセル識別子のうちの少なくとも１つに依存する、請求項５８に記載の方法。
【請求項６０】
第２のペイロードを送信することをさらに備え、前記第２のペイロードが第１のサブフレームで送信され、前記第１のサブフレームが、前記第１の基地局のための保護されたサブフレームであり、前記第２のペイロードが、ＳＩＢ２、ＳＩＢ３、ＳＩＢ４、またはＳＩＢ５の少なくとも１つを備える、請求項５３に記載の方法。
【請求項６１】
前記１つまたは複数のブロードキャストチャネル干渉調整方式の１つが、
第１のサブフレームにおいて、前記ペイロードの第２のインスタンスを送信することを備え、前記第１のサブフレームが、前記第１の基地局のための保護されたサブフレームではない、請求項５３に記載の方法。
【請求項６２】
前記ペイロードの前記第２のインスタンスが受信され得るように、前記第２の基地局がバックオフし、前記バックオフが、前記ペイロードの前記第２のインスタンスをブロードキャストするように、前記第１の基地局によって用いられる１つまたは複数のサブフレームに対して構成される、請求項６１に記載の方法。
【請求項６３】
前記ペイロードの前記第２のインスタンスが受信され得るように、前記第２の基地局がバックオフし、前記バックオフの構成がさらに、
前記第１のサブフレームの間の送信電力を低減すること、または、
前記第１のサブフレームの間の送信を避けること
のいずれかの要求を、前記第２の基地局に送信することを備える、請求項６１に記載の方法。
【請求項６４】
前記１つまたは複数のブロードキャストチャネル干渉調整方式の１つが、データチャネルを用いて、前記ブロードキャストチャネルスケジューリング情報の第２のインスタンスを送信することを備える、請求項５３に記載の方法。
【請求項６５】
前記データチャネルがＰＤＳＣＨであり、前記ブロードキャストチャネルスケジューリング情報の前記第２のインスタンスが、ある場所において前記ＰＤＳＣＨに組み込まれ、前記ブロードキャストチャネルスケジューリング情報が、前記第２の基地局によって送信されているコンテンツとは直交して別個である、請求項６４に記載の方法。
【請求項６６】
前記ブロードキャストチャネルスケジューリング情報の前記第２のインスタンスの前記場所を、第２の基地局とネゴシエーションすることをさらに備える、請求項６５に記載の方法。
【請求項６７】
前記ブロードキャストチャネルスケジューリング情報の前記第２のインスタンスが、前記第１の基地局のための、ＭＢＳＦＮのサブフレームに組み込まれる、請求項６４に記載の方法。
【請求項６８】
前記第１の基地局のための前記ＭＢＳＦＮサブフレームが、前記第２の基地局のためのＭＢＳＦＮサブフレームと揃えられる、請求項６７に記載の方法。
【請求項６９】
前記送信することがさらに、第１のサブフレームの間に、第１の基地局と関連付けられた前記ペイロードを送信することを備え、前記第２の基地局と関連付けられたペイロードが、前記第１のサブフレームの間に前記第２の基地局によって送信され、前記第１の基地局と関連付けられた前記ペイロードおよび前記第２の基地局と関連付けられた前記ペイロードが、別々の周波数リソースに割り当てられる、請求項５３に記載の方法。
【請求項７０】
前記別々の周波数リソースが、バックホールネットワーク接続を通じて、静的に、または、前記第１の基地局と前記第２の基地局との間でネゴシエーションされて、割り当てられる、請求項６９に記載の方法。
【請求項７１】
前記ペイロードが、システム情報ブロックタイプ１（ＳＩＢ１）とページングメッセージとのいずれかを備える、請求項５３に記載の方法。
【請求項７２】
前記第１の基地局がピコセルであり、前記第２の基地局がマクロセルである、請求項５３に記載の方法。
【請求項７３】
前記第１の基地局がマクロセルであり、前記第２の基地局がフェムトセルである、請求項５３に記載の方法。
【請求項７４】
第１の基地局によって、１つまたは複数のブロードキャストチャネル干渉調整方式に基づいて、前記第１の基地局と関連付けられたペイロードのためのブロードキャストチャネルスケジューリング情報を送信するための手段であって、第２の基地局からの干渉が、前記第１の基地局によってブロードキャストされる前記ブロードキャストチャネルスケジューリング情報の受信に干渉する、手段と、
前記１つまたは複数のブロードキャストチャネル干渉方式に基づいて、前記ペイロードを送信するための手段と
を備える、ワイヤレス通信のための装置。
【請求項７５】
第１の基地局によって、１つまたは複数のブロードキャストチャネル干渉調整方式に基づいて、前記第１の基地局と関連付けられたペイロードのためのブロードキャストチャネルスケジューリング情報を送信することであって、第２の基地局からの干渉が、前記第１の基地局によってブロードキャストされる前記ブロードキャストチャネルスケジューリング情報の受信に干渉する、送信することと、
前記１つまたは複数のブロードキャストチャネル干渉方式に基づいて、前記ペイロードを送信することと
のためのコードを備えるコンピュータ可読媒体
を備えるコンピュータプログラム製品。
【請求項７６】
第１の基地局によって、１つまたは複数のブロードキャストチャネル干渉調整方式に基づいて、前記第１の基地局と関連付けられたペイロードのためのブロードキャストチャネルスケジューリング情報を送信することであって、第２の基地局からの干渉が、前記第１の基地局によってブロードキャストされる前記ブロードキャストチャネルスケジューリング情報の受信に干渉する、送信することと、
前記１つまたは複数のブロードキャストチャネル干渉方式に基づいて、前記ペイロードを送信することと
を行うように構成される処理システム
を備える、ワイヤレス通信のための装置。
【請求項７７】
前記処理システムがさらに、
バックホール接続を通じて、前記ブロードキャストチャネルスケジューリング情報を前記第２の基地局に送信するように構成され、前記第２の基地局からのブロードキャストが、前記第２の基地局のためのブロードキャスト情報と、前記第１の基地局と関連付けられる前記ブロードキャストチャネルスケジューリング情報とを含む、請求項７６に記載の装置。
【請求項７８】
前記処理システムがさらに、
第１のサブフレームにおいて、前記ペイロードのための前記ブロードキャストチャネルスケジューリング情報を送信し、
前記第１のサブフレームで送信された前記ブロードキャストチャネルスケジューリング情報に基づいて、第２のサブフレームにおいて前記ペイロードを送信する
ように構成される、請求項７６に記載の装置。
【請求項７９】
前記第１のサブフレームが前記第２のサブフレームの前に発生し、前記第１のサブフレームが前記第１の基地局のための保護されたサブフレームである、請求項７８に記載の装置。
【請求項８０】
前記第１のサブフレームが、前記第２のサブフレームの前のサブフレームの定められたウィンドウ内で発生し、前記定められたウィンドウが、少なくとも１つの保護されたサブフレームを備える、請求項７９に記載の装置。
【請求項８１】
前記第１の基地局と関連付けられる前記ペイロードが、デフォルトのスケジューリング情報に基づいてブロードキャストされ、前記デフォルトのブロードキャストスケジューリング情報がＵＥにハードコードされる、請求項７６に記載の装置。
【請求項８２】
前記デフォルトのスケジューリング情報が、前記第１の基地局の電力クラスとセル識別子のうちの少なくとも１つに依存する、請求項８１に記載の装置。
【請求項８３】
前記処理システムがさらに、
第２のペイロードを送信するように構成され、前記第２のペイロードが第１のサブフレームで送信され、前記第１のサブフレームが、前記第１の基地局のための保護されたサブフレームであり、前記第２のペイロードが、ＳＩＢ２、ＳＩＢ３、ＳＩＢ４、またはＳＩＢ５の少なくとも１つを備える、請求項７６に記載の装置。
【請求項８４】
前記処理システムがさらに、
第１のサブフレームにおいて、前記ペイロードの第２のインスタンスを送信するように構成され、前記第１のサブフレームが、前記第１の基地局のための保護されたサブフレームではない、請求項７６に記載の装置。
【請求項８５】
前記ペイロードの前記第２のインスタンスが受信され得るように、前記第２の基地局がバックオフし、前記バックオフが、前記ペイロードの前記第２のインスタンスをブロードキャストするように、前記第１の基地局によって用いられる１つまたは複数のサブフレームに対して構成される、請求項８４に記載の装置。
【請求項８６】
前記ペイロードの前記第２のインスタンスが受信され得るように、前記第２の基地局がバックオフし、前記処理システムがさらに、
前記第１のサブフレームの間の送信電力を低減し、または、
前記第１のサブフレームの間の送信を避ける
ように構成される、請求項８４に記載の装置。
【請求項８７】
前記処理システムがさらに、データチャネルを用いて、前記ブロードキャストチャネルスケジューリング情報の第２のインスタンスを送信するように構成される、請求項７６に記載の装置。
【請求項８８】
前記データチャネルがＰＤＳＣＨであり、前記ブロードキャストチャネルスケジューリング情報の前記第２のインスタンスが、ある場所において前記ＰＤＳＣＨに組み込まれ、前記ブロードキャストチャネルスケジューリング情報が、前記第２の基地局によって送信されているコンテンツとは直交して別個である、請求項８７に記載の装置。
【請求項８９】
前記処理システムがさらに、前記ブロードキャストチャネルスケジューリング情報の前記第２のインスタンスの前記場所を、前記第２の基地局とネゴシエーションするように構成される、請求項８８に記載の装置。
【請求項９０】
前記ブロードキャストチャネルスケジューリング情報の前記第２のインスタンスが、前記第１の基地局のための、ＭＢＳＦＮサブフレームに組み込まれる、請求項８７に記載の装置。
【請求項９１】
前記第１の基地局のための前記ＭＢＳＦＮサブフレームが、前記第２の基地局のためのＭＢＳＦＮサブフレームと揃えられる、請求項９０に記載の装置。
【請求項９２】
前記処理システムがさらに、第１のサブフレームの間に、第１の基地局と関連付けられた前記ペイロードを送信するように構成され、前記第２の基地局と関連付けられたペイロードが、前記第１のサブフレームの間に前記第２の基地局によって送信され、前記第１の基地局と関連付けられた前記ペイロードおよび前記第２の基地局と関連付けられた前記ペイロードが、別々の周波数リソースに割り当てられる、請求項７６に記載の装置。
【請求項９３】
前記別々の周波数リソースが、バックホールネットワーク接続を通じて、静的に、または、前記第１の基地局と前記第２の基地局との間でネゴシエーションされて、割り当てられる、請求項９２に記載の装置。
【請求項９４】
前記ペイロードが、システム情報ブロックタイプ１（ＳＩＢ１）とページングメッセージとのいずれかを備える、請求項７６に記載の装置。
【請求項９５】
前記第１の基地局がピコセルであり、前記第２の基地局がマクロセルである、請求項７６に記載の装置。
【請求項９６】
前記第１の基地局がマクロセルであり、前記第２の基地局がフェムトセルである、請求項７６に記載の装置。
【発明の詳細な説明】
【技術分野】
【０００１】
関連出願の相互参照
本出願は、その全体が参照により本明細書に明確に組み込まれる、２０１０年４月１３日に出願された「ＭＥＴＨＯＤ  ＡＮＤ  ＡＰＰＡＲＡＴＵＳ  ＦＯＲ  ＳＵＰＰＯＲＴＩＮＧ  ＣＯＭＭＵＮＩＣＡＴＩＯＮＳ  ＩＮ  Ａ  ＨＥＴＥＲＯＧＥＮＥＯＵＳ  ＮＥＴＷＯＲＫ」と題する米国仮出願第６１／３２３，８５３号の利益を主張する。
【０００２】
本開示は、全般に通信システムに関し、より詳細には、異種のワイヤレス通信ネットワークにおいてダウンリンク通信をサポートするための技法に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが、都市、国家、地域、さらには地球規模で通信することを可能にする、共通プロトコルを与えるために、様々な電気通信規格において採用されている。新生の電気通信規格の例は、Ｌｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。スペクトル効率を改善することと、コストを低減することと、サービスを改善することと、新しいスペクトルを利用することと、ダウンリンク（ＤＬ：downlink）上ではＯＦＤＭＡを使用し、アップリンク（ＵＬ：uplink）上ではＳＣ−ＦＤＭＡを使用し、多入力多出力（ＭＩＭＯ）アンテナ技術を使用する他のオープン規格とより良く統合することとによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、これらの技術を採用する他の多元接続技術と電気通信規格とに適用可能であるべきである。
【０００５】
たとえば、ワイヤレス通信ネットワークは、いくつかのユーザ装置（ＵＥ）の通信をサポートすることができるいくつかのｅｖｏｌｖｅｄ  Ｎｏｄｅ  Ｂ（ｅＮＢ）を含むことができる。ＵＥは、ダウンリンクおよびアップリンクを介してｅＮＢと通信することができる。ダウンリンク（または順方向リンク）はｅＮＢからＵＥへの通信リンクを指し、アップリンク（または逆方向リンク）はＵＥからｅＮＢへの通信リンクを指す。
【発明の概要】
【０００６】
ｅＮＢは、データと制御情報とをダウンリンクでＵＥに送信することができ、かつ／または、データと制御情報とをアップリンクでＵＥから受信することができる。ダウンリンク上では、ｅＮＢからの送信は、近隣のｅＮＢからの送信による干渉を受けることがある。アップリンク上では、ＵＥからの送信は、近隣のｅＮＢと通信している他のＵＥからの送信に対して、干渉を引き起こすことがある。この干渉は、ダウンリンクとアップリンクの両方で性能を低下させ得る。したがって、ワイヤレス通信ネットワークのための干渉調整方式が望まれる。
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
本開示の様々な態様は、ワイヤレス通信ネットワークにおける、ブロードキャストシステム情報のユーザ装置への送達に関連することがあり、そのネットワークは、ブロードキャストシステム情報の、要求される送信タイミングと競合し得る、干渉調整方式を用いる。これらの態様はまた、新たな送達方法に対応しない従来のデバイスに対するサポートを維持する必要性を考慮した、そのような情報を送達するための方法を含み得る。これらの様々な態様は、限定はされないが、競合を避けるための直交リソース割り当てのネゴシエーション、干渉調整方式に基づくブロードキャストシステム情報のシフトまたは複製、および、新たなまたは修正された情報送達方法の導入を含み得る。
【０００９】
一態様によれば、１つまたは複数の干渉調整方式を支援するための方法が提供される。方法は、１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、決定することを含んでもよく、第１の基地局と関連付けられるブロードキャストチャネルの受信が、第２の基地局からの１つまたは複数の送信に少なくとも一部基づいて干渉される。さらに、方法は、決定されたブロードキャストチャネルスケジューリング情報に基づいて、ペイロードを受信することを含み得る。
【００１０】
さらに別の態様は、１つまたは複数の干渉調整方式を支援するように構成された少なくとも１つのプロセッサに関する。プロセッサは、１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、決定するための第１のモジュールを含んでもよく、第１の基地局と関連付けられるブロードキャストチャネルの受信が、第２の基地局からの１つまたは複数の送信に少なくとも一部基づいて干渉される。さらに、プロセッサは、決定されたブロードキャストチャネルスケジューリング情報に基づいてペイロードを受信するための、第２のモジュールを含み得る。
【００１１】
さらに別の態様は、コンピュータ可読媒体を備えるコンピュータプログラム製品に関する。コンピュータプログラム製品は、１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、コンピュータに決定させるための第１のコードのセットを含むコンピュータ可読媒体を含んでもよく、第１の基地局と関連付けられるブロードキャストチャネルの受信が、第２の基地局からの１つまたは複数の送信に少なくとも一部基づいて干渉される。さらに、コンピュータプログラム製品は、コンピュータに、決定されたブロードキャストチャネルスケジューリング情報に基づいてペイロードを受信させるための第２のコードのセットを含む、コンピュータ可読媒体を含み得る。
【００１２】
さらに別の態様は装置に関する。装置は、１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、決定するための手段を含んでもよく、第１の基地局と関連付けられるブロードキャストチャネルの受信が、第２の基地局からの１つまたは複数の送信に少なくとも一部基づいて干渉される。さらに、装置は、決定されたブロードキャストチャネルスケジューリング情報に基づいてペイロードを受信するための、手段を含み得る。
【００１３】
別の態様は装置に関する。装置は、１つまたは複数のブロードキャストチャネル干渉調整方式に基づいて、第１の基地局と関連付けられるブロードキャストチャネルによるペイロードの１つまたは複数のブロードキャストのためのブロードキャストチャネルスケジューリング情報を、決定するための干渉調整モジュールを含んでもよく、第１の基地局と関連付けられるブロードキャストチャネルの受信が、第２の基地局からの１つまたは複数の送信に少なくとも一部基づいて干渉される。さらに、装置は、決定されたブロードキャストチャネルスケジューリング情報に基づいてペイロードを受信するための、受信機を含み得る。
【００１４】
一態様によれば、１つまたは複数の干渉調整方式を支援するための別の方法が提供される。方法は、第１の基地局によって、１つまたは複数のブロードキャストチャネル干渉調整方式に基づいて、第１の基地局と関連付けられたペイロードのためのブロードキャストチャネルスケジューリング情報を送信することを含んでもよく、第２の基地局からの干渉が、第１の基地局によってブロードキャストされるブロードキャストチャネルスケジューリング情報の受信に干渉する。さらに、方法は、１つまたは複数のブロードキャストチャネル干渉方式に基づいて、ペイロードを送信することを含み得る。
【００１５】
さらに別の態様は、１つまたは複数の干渉調整方式を支援するように構成される、少なくとも１つのプロセッサに関する。プロセッサは、第１の基地局によって、１つまたは複数のブロードキャストチャネル干渉調整方式に基づいて、第１の基地局と関連付けられたペイロードのためのブロードキャストチャネルスケジューリング情報を送信するための、第１のモジュールを含んでもよく、第２の基地局からの干渉が、第１の基地局によってブロードキャストされるブロードキャストチャネルスケジューリング情報の受信に干渉する。さらに、プロセッサは、１つまたは複数のブロードキャストチャネル干渉方式に基づいてペイロードを送信するための、第２のモジュールを含み得る。
【００１６】
さらに別の態様は、コンピュータ可読媒体を備えるコンピュータプログラム製品に関する。コンピュータプログラム製品は、１つまたは複数のブロードキャストチャネル干渉調整方式に基づいて、第１の基地局と関連付けられたペイロードのためのブロードキャストチャネルスケジューリング情報をコンピュータに送信させるための、第１のコードのセットを含むコンピュータ可読媒体を含んでもよく、第２の基地局からの干渉が、第１の基地局によってブロードキャストされるブロードキャストチャネルスケジューリング情報の受信に干渉する。さらに、コンピュータプログラム製品は、コンピュータに、１つまたは複数のブロードキャストチャネル干渉方式に基づいてペイロードを送信させるための第２のコードのセットを含む、コンピュータ可読媒体を含み得る。
【００１７】
さらに別の態様は装置に関する。装置は、第１の基地局によって、１つまたは複数のブロードキャストチャネル干渉調整方式に基づいて、第１の基地局と関連付けられたペイロードのためのブロードキャストチャネルスケジューリング情報を送信するための手段を含んでもよく、第２の基地局からの干渉が、第１の基地局によってブロードキャストされるブロードキャストチャネルスケジューリング情報の受信に干渉する。さらに、装置は、１つまたは複数のブロードキャストチャネル干渉方式に基づいてペイロードを送信するための、手段を含み得る。
【００１８】
別の態様は装置に関する。装置は、第１の基地局によって、１つまたは複数のブロードキャストチャネル干渉調整方式に基づいて、第１の基地局と関連付けられたペイロードのためのブロードキャストチャネルスケジューリング情報を送信するための、干渉調整モジュールを含んでもよく、第２の基地局からの干渉が、第１の基地局によってブロードキャストされるブロードキャストチャネルスケジューリング情報の受信に干渉する。さらに、装置は、１つまたは複数のブロードキャストチャネル干渉方式に基づいてペイロードを送信するための、送信機を含み得る。
【００１９】
上記および関連する目的を達成するために、１つまたは複数の態様は、以下で十分に説明され特に特許請求の範囲で指摘される特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００２０】
【図１】ネットワークアーキテクチャの一例を示す図。
【図２】アクセスネットワークの一例を示す図。
【図３】アクセスネットワーク中で使用するフレーム構造の一例を示す図。
【図４】ＬＴＥにおけるＵＬのための例示的なフォーマットを示す図。
【図５】ユーザプレーンおよび制御プレーンのための無線プロトコルアーキテクチャの一例を示す図。
【図６】アクセスネットワーク中のｅｖｏｌｖｅｄ  Ｎｏｄｅ  Ｂとユーザ装置との一例を示す図。
【図７】例示的なフレーム構造を示す図。
【図８】アクセスネットワークにおける例示的な主要な干渉の状況を示す図。
【図９】アクセスネットワークにおける例示的な干渉調整方式を示す図。
【図１０】アクセスネットワークにおける例示的な干渉調整方式を示す別の図。
【図１１】アクセスネットワークにおける例示的な干渉調整方式を示すさらに別の図。
【図１２】ある態様による例示的な多元接続ワイヤレス通信システムを示す図。
【図１３】例示的な通信システムのブロック図。
【図１４】ある態様による例示的なフレーム構造の概念的な図。
【図１５】ワイヤレス通信の方法の流れ図。
【図１６】例示的な装置の機能を示す概念的なブロック図。
【図１７】干渉調整方式を実施するための方法の流れ図。
【図１８】干渉調整方式を実施するための方法の別の流れ図。
【図１９】干渉調整方式を実施するための方法のさらに別の流れ図。
【図２０】ワイヤレス通信の別の方法の流れ図。
【図２１】別の例示的な装置の機能を示す概念的なブロック図。
【発明を実施するための形態】
【００２１】
添付の図面に関して以下に示す発明を実施するための形態は、様々な構成を説明するものであり、本明細書で説明される概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２２】
ここで、様々な装置および方法に関して電気通信システムのいくつかの態様を提示する。これらの装置および方法が、以下の発明を実施するための形態において説明され、（「要素」と総称される）様々なブロック、モジュール、構成要素、回路、ステップ、処理、アルゴリズムなどによって添付の図面において示される。これらの要素は、電子ハードウェア、コンピュータソフトウェア、またはそれらの任意の組合せを使用して実装され得る。そのような要素をハードウェアとして実装するか、ソフトウェアとして実装するかは、具体的な適用例および全体的なシステムに課せられた設計制約に依存する。
【００２３】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、状態機械、ゲート論理回路、個別ハードウェア回路、および、本開示全体にわたって説明される様々な機能を実行するように構成された他の好適なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアは、コンピュータ可読媒体上に常駐し得る。コンピュータ可読媒体は、非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびに、コンピュータによってアクセスされ読み取られ得るソフトウェアおよび／または命令を記憶するための任意の他の好適な媒体を含む。コンピュータ可読媒体はまた、例として、搬送波、伝送線路、ならびに、コンピュータによってアクセスされ読み取られ得るソフトウェアおよび／または命令を送信するための、任意の他の好適な媒体を含み得る。コンピュータ可読媒体は、処理システムの内部に常駐するか、処理システムの外部にあるか、または処理システムを含む複数のエンティティにわたって分散され得る。コンピュータ可読媒体は、コンピュータプログラム製品の中で具現化され得る。例として、コンピュータプログラム製品は、パッケージング材料中にコンピュータ可読媒体を含み得る。当業者は、特定の適用例および全体的なシステムに課せられた全体的な設計制約に応じて、本開示全体にわたって提示される記載の機能をどのようにしたら最も良く実装することができるかを認識されよう。
【００２４】
図１は、様々な通信デバイスを使用するＬＴＥネットワークアーキテクチャを示す図である。ＬＴＥネットワークアーキテクチャは、発展型パケットシステム（ＥＰＳ：Evolved Packet System）１００と呼ばれることがある。ＥＰＳ１００は、１つまたは複数のユーザ装置（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳ１００は、他のアクセスネットワークと相互接続してもよいが、簡単にするために、そのようなエンティティ／インターフェースは示されない。図示のように、ＥＰＳ１００はパケット交換サービスを提供するが、当業者なら容易に諒解するように、本開示全体にわたって提示される様々な概念は、回線交換サービスを提供するネットワークに拡張され得る。
【００２５】
Ｅ−ＵＴＲＡＮは、ｅｖｏｌｖｅｄ  Ｎｏｄｅ  Ｂ（ｅＮＢ）１０６と他のｅＮＢ１０８とを含む。ｅＮＢ１０６は、ＵＥ１０２に対してユーザプレーンのプロトコル終端と制御プレーンのプロトコル終端とを提供する。ｅＮＢ１０６は、Ｘ２インターフェース（すなわち、バックホール）を介して他のｅＮＢ１０８に接続され得る。ｅＮＢ１０６はまた、当業者によって、基地局、送受信基地局、無線基地局、無線送受信機、送受信機機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例には、携帯電話、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。
【００２６】
ｅＮＢ１０６は、Ｓ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続の管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレスの割り当てならびに他の機能を提供する。ＰＤＮゲートウェイ１１８は、事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含む。
【００２７】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８、２１２、２１６は、セル２０２のうちの１つまたは複数とそれぞれ重複する、かつ／またはそれらにそれぞれ拡張する、セルラー領域２１０、２１４、２１８を有し得る。より低い電力クラスのｅＮＢ２０８、２１２、２１６は、フェムトセル（たとえば、ホームｅＮＢ（ＨｅＮＢ））、ピコセル、リレーまたはマイクロセルを含み得る。より高い電力クラスのｅＮＢまたはマクロｅＮＢ２０４は、セル２０２に割り当てられ、セル２０２中のすべてのＵＥ２０６にＥＰＣ１１０へのアクセスポイントを提供するように構成される。マクロセルは、比較的大きな地理的エリア（たとえば、半径数キロメートル）をカバーすることができ、サービスに加入しているＵＥ２０６による無制限のアクセスを可能にし得る。ピコセルは、比較的小さな地理的エリアをカバーすることができ、サービスに加入しているＵＥ２０６による無制限なアクセスを可能にし得る。フェムトセルは、比較的小さな地理的エリア（たとえば、自宅）をカバーすることができ、フェムトセルと関連するＵＥ２０６（たとえば、限定加入者グループ（ＣＳＧ：Closed Subscriber Group）中のＵＥ、自宅の中のユーザのためのＵＥなど）による限定アクセスを可能にし得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥ２０６に対する送信を中継するＵＥ２０６であってもよい。図２に示される例では、中継局２１６は、カバレッジ２１８を拡大し、ｅＮＢ２０４とＵＥ２０６との間の通信を支援するために、ｅＮＢ２０４およびＵＥ２０６と通信することができる。中継局は、リレーｅＮＢ、リレーなどとも呼ばれ得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢと呼ばれ得る。これらの異なるタイプのｅＮＢ２０４は、異なる送信出力レベル、異なるカバレッジエリア、およびワイヤレスネットワーク２００中の干渉に対する異なる影響を有し得る。たとえば、マクロｅＮＢは、高い送信出力レベル（たとえば、２０ワット）を有するが、ピコｅＮＢ、フェムトｅＮＢ、および中継器は、より低い送信出力レベル（たとえば、１ワット）を有し得る。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６（図１参照）への接続性を含む、無線に関係するすべての機能を担当する。
【００２８】
アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）、ならびに、ＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用する、Ｕｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ＧＰＰ２という組織からの文書に記載されている。採用される実際のワイヤレス通信規格および多元接続技術は、具体的な適用例およびシステムに課せられる全体的な設計制約に依存することになる。
【００２９】
ｅＮＢ２０４は、ＭＩＭＯ技術をサポートする複数のアンテナを有し得る。ＭＩＭＯ技術の使用により、ｅＮＢ２０４は、空間領域を活用して、空間多重化、ビームフォーミング、および送信ダイバーシティをサポートすることが可能になる。
【００３０】
以下の詳細な説明では、ダウンリンク上でＯＦＤＭをサポートするＭＩＭＯシステムを参照して、アクセスネットワークの様々な態様について説明する。ＯＦＤＭは、ＯＦＤＭシンボル内のいくつかのサブキャリアを介してデータを変調するスペクトル拡散技法である。サブキャリアは、正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＲＲ：peak-to-average power ratio）を補償するために、ＳＣ−ＦＤＭＡをＤＦＴ拡散ＯＦＤＭ信号の形態で使用し得る。
【００３１】
様々なフレーム構造が、ＤＬ送信とＵＬ送信とをサポートするために使用され得る。図３は、ＤＬフレーム構造の例を提示する。しかし、当業者が容易に諒解するように、任意の具体的な適用例のためのフレーム構造は、任意の数の要因に応じて異なり得る。この例では、フレーム（１０ｍｓ）は、等しいサイズの１０個のサブフレームに分割される。各サブフレームは、２つの連続するタイムスロットを含む。
【００３２】
２つのタイムスロットを表すためにリソースグリッドが使用されてよく、各タイムスロットはリソースブロックを含む。リソースグリッドは、複数のリソース要素に分割される。ＬＴＥでは、リソースブロックは、周波数領域中に１２個の連続サブキャリアを含み、各ＯＦＤＭシンボル中の通常のサイクリックプレフィックスについて、時間領域中に７個の連続ＯＦＤＭシンボル、または８４個リソース要素を含む。Ｒ３０２、３０４として示されるリソース要素のいくつかはＤＬ基準信号（ＤＬ−ＲＳ：DL reference signal）を含む。ＤＬ−ＲＳは、（共通ＲＳとも呼ばれることがある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上のみで送信される。各リソース要素によって搬送されるビット数は、変調方式に依存する。すなわち、ＵＥが受信するリソースブロックが多いほど、また変調方式が高いほど、ＵＥのデータレートは高くなる。
【００３３】
図４は、ＬＴＥにおけるＵＬフレーム構造４００の例示的なフォーマットを示す。ＵＬのために利用可能なリソースブロックは、データセクションと制御セクションとに区分され得る。制御セクションは、システム帯域幅の２つのエッジにおいて形成されてよく、構成可能なサイズを有し得る。制御セクション中のリソースブロックは、制御情報を送信するためにＵＥに割り当てられ得る。データセクションは、制御セクション中に含まれないすべてのリソースブロックを含み得る。図４の設計は、データセクション中の連続するサブキャリアのすべてを単一のＵＥに割り当てることを可能にし得る、連続サブキャリアを含むデータセクションを生じる。
【００３４】
ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で、制御情報を送信し得る。ＵＥは、データセクション中の割り当てられたリソースブロック上の物理アップリンク共有チャネル（ＰＵＳＣＨ：physical uplink shared channel）中で、データのみまたはデータと制御情報の両方を送信し得る。ＵＬ送信は、サブフレームの両方のスロットにわたってもよく、図４に示すように周波数上でホッピングし得る。
【００３５】
図４は、リソースブロックのセットが、初期システムアクセスを実行し、物理ランダムアクセスチャネル（ＰＲＡＣＨ：physical random access channel）４３０中でＵＬ同期を達成するために使用され得ることを示す。ＰＲＡＣＨ４３０は、ランダムシーケンスを搬送し、いかなるＵＬデータ／シグナリングも搬送することができない。各ランダムアクセスのプリアンブルは、６つの連続するリソースブロックに対応する帯域幅を占有する。開始周波数はネットワークによって指定される。すなわち、ランダムアクセスのプリアンブルの送信は、ある時間リソースおよび周波数リソースに制限される。周波数ホッピングは、ＰＲＡＣＨにはない。ＰＲＡＣＨの試みは単一のサブフレーム（１ｍｓ）中で搬送され、ＵＥは、フレーム（１０ｍｓ）ごとに単一のＰＲＡＣＨの試みのみを行うことができる。
【００３６】
無線プロトコルアーキテクチャは、具体的な適用例に応じて様々な形態をとり得る。図５は、ユーザプレーンおよび制御プレーンのための無線プロトコルアーキテクチャの一例を示す概念的な図である。
【００３７】
図５では、ＵＥおよびｅＮＢのための無線プロトコルアーキテクチャは、レイヤ１、レイヤ２、レイヤ３という３つのレイヤとともに示されている。レイヤ１は最下位レイヤであり、様々な物理レイヤ信号処理機能を実装する。レイヤ１を、本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３８】
ユーザプレーンでは、Ｌ２レイヤ５０８は、ネットワーク側のｅＮＢにおいて終了する、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１０８（図１参照）において終了するネットワークレイヤ（たとえば、ＩＰレイヤ）と、接続の他端（たとえば、遠隔のＵＥ、サーバなど）において終了するアプリケーションレイヤとを含むＬ２レイヤ５０８の上にいくつかの上位レイヤを有し得る。
【００３９】
ＰＤＣＰサブレイヤ５１４は、異なる無線ベアラと論理チャネルとの間で多重化を行う。ＰＤＣＰサブレイヤ５１４はまた、無線送信のオーバーヘッドを低減するための上位レイヤデータパケットのヘッダ圧縮と、データパケットを暗号化することによるセキュリティと、ＵＥに対するｅＮＢ間のハンドオーバのサポートとを実現する。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）によって順序が狂った受信を補正するための、データパケットの並べ替えとを行う。ＭＡＣサブレイヤ５１０は、論理チャネルとトランスポートチャネルとの間の多重化を行う。ＭＡＣサブレイヤ５１０はまた、１つのセル中の様々な無線リソース（たとえば、リソースブロック）を、ＵＥの間で割り当てることを担当する。ＭＡＣサブレイヤ５１０はまた、ＨＡＲＱ動作を担当する。
【００４０】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４１】
図６は、アクセスネットワーク中でＵＥ６５０と通信しているｅＮＢ６１０のブロック図である。ＤＬでは、基幹ネットワークからの上位レイヤパケットが、コントローラ／プロセッサ６７５に与えられる。コントローラ／プロセッサ６７５は、図５に関して前に説明されたＬ２レイヤの機能を実装する。ＤＬでは、コントローラ／プロセッサ６７５は、様々な優先度のメトリックに基づいて、ヘッダ圧縮と、暗号化と、パケットのセグメント化および並べ替えと、論理チャネルとトランスポートチャネルとの間の多重化と、ＵＥ６５０への無線リソースの割り当てとを行う。コントローラ／プロセッサ６７５はまた、ＨＡＲＱ動作と、紛失パケットの再送信と、ＵＥ６５０へのシグナリングとを担当する。
【００４２】
ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２値位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを支援するための、符号化とインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化方式と変調方式とを判定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００４３】
ＵＥ６５０において、各受信機６５４ＲＸは、そのそれぞれのアンテナ６５２を通して信号を受信する。各受信機６５４ＲＸは、ＲＦキャリア上で変調された情報を復元し、受信機（ＲＸ）プロセッサ６５６に情報を与える。
【００４４】
ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用して、ＯＦＤＭシンボルストリームを時間領域から周波数領域に変換する。周波数領域信号は、ＯＦＤＭ信号のサブキャリアごとに別々のＯＦＤＭシンボルストリームを含む。各サブキャリア上のシンボルと基準信号とは、ｅＮＢ６１０によって送信される、可能性が最も高い信号のコンスタレーションポイントを判定することによって、復元され復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために、復号されデインターリーブされる。データおよび制御信号は、次いでコントローラ／プロセッサ６５９に与えられる。
【００４５】
コントローラ／プロセッサ６５９は、図５に関して前に説明したＬ２レイヤを実装する。ＵＬでは、コントローラ／プロセッサ６５９は、基幹ネットワークからの上位レイヤパケットを復元するために、トランスポートチャネルと論理チャネルとの間での多重分離と、パケット再統合と、復号と、ヘッダの復元と、制御信号処理とを行う。上位レイヤパケットは、次いで、Ｌ２レイヤの上のすべてのプロトコルレイヤを表すデータシンク６６２に与えられる。また、様々な制御信号が、Ｌ３処理のためにデータシンク６６２に与えられ得る。コントローラ／プロセッサ６５９はまた、ＨＡＲＱ動作をサポートするための、肯定応答（ＡＣＫ）および／または否定応答（ＮＡＣＫ）プロトコルを使用した誤り検出を担当する。
【００４６】
ＵＬでは、データソース６６７は、コントローラ／プロセッサ６５９に上位レイヤパケットを与えるために使用される。データソース６６７は、Ｌ２レイヤ（Ｌ２）の上のすべてプロトコルレイヤを表す。ｅＮＢ６１０によるＤＬ送信に関して説明された機能と同様に、コントローラ／プロセッサ６５９は、ヘッダ圧縮と、暗号化と、パケットのセグメント化および並べ替えと、ｅＮＢ６１０による無線リソースの割り当てに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４７】
ｅＮＢ６１０によって送信される基準信号またはフィードバックから、チャネル推定器６５８によって導出されるチャネル推定値は、適切な符号化および変調方式を選択し、空間処理を支援するために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４８】
ＵＬ送信は、ＵＥ６５０における受信機機能に関して説明された方法と同様の方法で、ｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０は、Ｌ１レイヤを実装する。
【００４９】
コントローラ／プロセッサ６５９は、図５に関して前に説明されたＬ２レイヤを実装する。ＵＬでは、コントローラ／プロセッサ６５９は、ＵＥ６５０からの上位レイヤパケットを復元するために、トランスポートチャネルと論理チャネルとの間での多重分離と、パケット再統合と、復号と、ヘッダの復元と、制御信号処理とを行う。コントローラ／プロセッサ６７５からの上位レイヤパケットは、基幹ネットワークに与えられ得る。コントローラ／プロセッサ６５９はまた、ＨＡＲＱ動作をサポートするための、ＡＣＫおよび／またはＮＡＣＫプロトコルを使用した誤り検出を担当する。
【００５０】
図１に関連して説明されたＥＰＳ１００は、ｅＮＢ６１０を含む。特に、ｅＮＢ６１０は、ＴＸプロセッサ６１６と、ＲＸプロセッサ６７０と、コントローラ／プロセッサ６７５とを含む。別の態様では、図１に関連して説明されたＥＰＳ１００は、ＵＥ６５０を含む。特に、ＵＥ６５０は、ＴＸプロセッサ６６８と、ＲＸプロセッサ６５６と、コントローラ／プロセッサ６５９とを含む。
【００５１】
図７は、ＬＴＥで用いられるフレーム構造を示す。ダウンリンクの送信タイムラインは、無線フレームの単位に区分できる。各無線フレームは、所定の持続時間（たとえば、１０ミリ秒（ｍｓ））を有してよく、０から９のインデックスをもつ１０個のサブフレームに区分できる。各サブフレームは、２個のスロットを含み得る。したがって、各無線フレームは、０から１９のインデックスをもつ２０個のスロットを含み得る。各スロットは、Ｌ個のシンボル期間、たとえば、（図７に示すように）通常のサイクリックプレフィックスに対するシンボル期間、または拡張されたサイクリックプレフィックスに対するシンボル期間を含み得る。各サブフレーム中の２Ｌ個のシンボル期間には、０から２Ｌ−１のインデックスが割り当てられ得る。利用可能な時間周波数リソースは、リソースブロック（ＲＢ）に区分され得る。各リソースブロックは、１つのスロット中でＮ個のサブキャリア（たとえば、１２個のサブキャリア）をカバーし得る。
【００５２】
ＬＴＥでは、ｅＮＢは、ブロードキャスト制御情報およびデータを、ＵＥに送ることができる。ｅＮＢは、（図７に図示していない）各サブフレームの最初のＭ個のシンボル期間中に、物理ＨＡＲＱインジケータチャネル（ＰＨＩＣＨ）と物理ダウンリンク制御チャネル（ＰＤＣＣＨ）とを送ることができる。ＰＨＩＣＨは、ＨＡＲＱをサポートするための情報を搬送することができる。ＰＤＣＣＨは、ＵＥのためのリソース割り当てに関する情報と、ダウンリンクチャネルのための制御情報とを搬送することができる。ｅＮＢは、各サブフレームの残りのシンボル期間中にＰＤＳＣＨを送ることができる。ＰＤＳＣＨは、ダウンリンク上でのデータ送信のためにスケジュールされた、ＵＥのためのデータを搬送することができる。さらに、あるデータの送信が、定められたサブフレームでスケジューリングされてもよい。たとえば、ある規格においては、システム情報ブロックのタイプ１は、サブフレーム５で送信されるようにスケジューリングされ得る。
【００５３】
各シンボル期間においていくつかのリソース要素が利用可能であり得る。各リソース要素は、１つのシンボル期間中の１つのサブキャリアをカバーすることができ、実数値または複素数値を含み得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。物理制御フォーマットインジケータチャネル（ＰＣＦＩＣＨ：physical control format indicator channel）は、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せが、ＰＤＣＣＨに対して許可され得る。
【００５４】
ＵＥは、複数のｅＮＢのカバレッジ内に位置し得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００５５】
ＵＥは、ＵＥが１つまたは複数の干渉ｅＮＢからの大きな干渉を受け得る、主要な干渉の状況において動作し得る。主要な干渉の状況は、制限された接続により発生し得る。たとえば、図８では、ＵＥ８２０ａは、フェムトｅＮＢ８１０ｂに近接することがあり、ｅＮＢ８１０ｂについて高い受信電力を有し得る。しかし、ＵＥ８２０ａは、フェムトｅＮＢカバレッジ領域８０２における制限された接続のために、フェムトｅＮＢ８１０ｂにアクセスできないことがあり、（図８に示されるように）受信電力の低いマクロｅＮＢ８１０ａ、または、（図８には示されない）やはり受信電力の低い異なるフェムトｅＮＢ８１０ｂに接続しようとすることがある。そして、ＵＥ８２０ａは、ダウンリンク上でフェムトｅＮＢ８１０ｂからの大きな干渉を受け、また、アップリンク上でフェムトｅＮＢ８１０ｂに大きな干渉を引き起こし得る。
【００５６】
主要な干渉の状況はまた、範囲の拡張によって発生することがあり、これは、ＵＥが、ＵＥによって検出されたすべてのｅＮＢの中で、経路損失がより低くＳＮＲがより低いｅＮＢに接続する状況である。たとえば、図８では、ＵＥ８２０ｂは、ピコｅＮＢ８１０ｃのカバレッジ領域８０４内に位置していてよく、マクロｅＮＢ８１０ａとピコｅＮＢ８１０ｃとを検出することができ、ピコｅＮＢ８１０ｃについて、マクロｅＮＢ８１０ａよりも低い受信電力を有し得る。それでも、ピコｅＮＢ８１０ｃの経路損失がマクロｅＮＢ８１０ａの経路損失よりも低い場合、ＵＥ８２０ｂがピコｅＮＢ８１０ｃに接続するのが望ましいことがある。これにより、ＵＥ８２０ｂの所与のデータレートに対して、ワイヤレスネットワークへの干渉が少なくなり得る。
【００５７】
そのような主要な干渉の状況に対処するために、ＬＴＥシステムは、時分割多重化（ＴＤＭ）リソース区分方式を用いることができる。ＴＤＭを用いると、サブフレームは、「保護」（Ｕ）および「不使用」（Ｎ）のような、「タイプ」を割り当てられ得る。ＬＴＥでは、８ｍｓの周期のＴＤＭが、ＨＡＲＱ処理と同調するために選択され得る。
【００５８】
加えて、上で述べられたように、各無線フレームは、所定の持続時間（たとえば１０ｍｓ）を有してもよく、１０個のサブフレームに区分され得る。いくつかの送信は、繰り返される既知の構造をデバイスに提供するために、定められたサブフレームを専有するように割り当てられ得る。たとえば、システム情報ブロックのタイプ１（ＳＩＢ１）は、等間隔の無線フレームごとに（たとえば、２０個のサブフレームごとに）送信されるようにスケジューリングされ得る。
【００５９】
動作において、主要な干渉の状況では、これらの異なる周期（１０ｍｓ対８ｍｓ）は、厳密に１０ｍｓの周期を用い得る信号（たとえば、ＳＩＢ１、ページング）に対して干渉の問題を引き起こし得る。たとえば、あるインスタンスにおいて、干渉側ｅＮＢから送信された周期８ｍｓの信号が、被干渉側ｅＮＢから送信された周期１０ｍｓの信号を受信して復号するＵＥの能力に関して、干渉することがある。
【００６０】
これらの可能性のある干渉の問題を改善するために、主要な干渉の状況における通信は、１つまたは複数の干渉調整方式（たとえば、ブロードキャストチャネル干渉調整方式）によってサポートされ得る。一般に、そのような干渉調整方式は、ＵＥが、ブロードキャストチャネルスケジューリング情報の１つまたは複数のインスタンスを受信できるようにして、ＵＥは次いで、ブロードキャストチャネルスケジューリング情報を用いて、干渉を受け得るペイロードを取得することができる。
【００６１】
ある干渉調整方式は、第１のｅＮＢと第２のｅＮＢとの間での周波数の割り当ての調整を可能にし得る。そのような態様では、第１のｅＮＢ（たとえば、被干渉側ｅＮＢ）および第２のｅＮＢ（たとえば、干渉側ｅＮＢ）は、ＵＥによるペイロード（たとえば、ＳＩＢ１、ページングなど）の受信における可能性のある干渉を限定するために、ブロードキャストチャネルスケジューリング情報の周波数割り当てを調整することができる。別の干渉調整方式は、第２のｅＮＢ（たとえば、干渉側ｅＮＢ）と第１のｅＮＢ（たとえば、被干渉側ｅＮＢ）との間で、様々なリソースを再割り当てできるようにし得る。たとえば、一態様では、被干渉側ｅＮＢから信号を受信しようとする時にＵＥが干渉を受け得るタイムスロットの間に、干渉側ｅＮＢが、被干渉側ｅＮＢのためにブロードキャストスケジューリング情報を送信することができる。別の態様では、干渉側ｅＮＢから受信されたブロードキャストスケジューリング情報は、被干渉側ｅＮＢからのペイロードの受信のための、空いたタイムスロットを示すことができる。別の態様では、ペイロード送信のためのスケジューリングは、限定はされないがｅＮＢの電力クラスのような様々な要因に基づいて、システムにハードコードされてもよい。言い換えると、ＵＥは、ピコｅＮＢのペイロード送信のために定められたタイムスロットにおいて、ピコｅＮＢからのペイロードの受信をスケジューリングすることができる。別の干渉調整方式は、ブロードキャストスケジューリング情報および／またはペイロードを、複数回通信できるようにし得る。この後のセクションは、図９と、図１０と、図１１とに関する、様々な干渉調整方式のさらなる議論を含む。
【００６２】
Ｉ．ＳＩＢ送信に従った直交送信リソースの割り当て
図９は、干渉側ｅＮＢ９１０ａが、被干渉側ｅＮＢ９１０ｂとＵＥ９２０ａとの間の通信に干渉し得る、ワイヤレス通信システムを示す。図９では、ｅＮＢ９１０ｂ（たとえば、被干渉側ｅＮＢ）およびｅＮＢ９１０ａ（たとえば、干渉側ｅＮＢ）は、ＵＥ９２０ａによるペイロード（たとえば、ＳＩＢ１、ページングなど）の受信における可能性のある干渉を限定するために、ブロードキャストチャネルスケジューリング情報の周波数割り当てを調整することができる。動作中、ｅＮＢ９１０ａは、第１の周波数９３４を用いて、ｅＮＢ９１０ａと関連付けられたブロードキャストチャネルスケジューリング情報を送信することができる（９３２）。さらに、ｅＮＢ９１０ｂは、第２の周波数９３６を用いて、ｅＮＢ９１０ｂと関連付けられたブロードキャストチャネルスケジューリング情報を送信することができる（９３０）。一態様では、第１の周波数９３４および第２の周波数９３６は、直交して割り当てられ得る。そのような態様では、干渉側ｅＮＢ９１０ａは、ｅＮＢ９１０ｂからのペイロード送信に割り当てられたリソースブロック（ＲＢ）で、送信することができない。
【００６３】
ＩＩ．割り当てられた送信リソースに従ったＳＩＢ送信の再スケジューリング
図１０は、干渉側ｅＮＢ１０１０ａが、被干渉側ｅＮＢ１０１０ｂとＵＥ１０２０ａとの間の通信に干渉し得る、さらに別のワイヤレス通信システムを示す。一態様では、後のサブフレームで受信され得るペイロード１０４０を参照するために、スケジューリング識別子が使用され得る。そのような態様では、スケジューリング識別子は、クロスサブフレームスケジューリング識別子１０３８と呼ばれ得る。動作中、ｅＮＢ１０１０ａは、ｅＮＢ１０１０ａと関連付けられたブロードキャストチャネルスケジューリング情報１０３６と、ｅＮＢ１０１０ｂと関連付けられたクロスサブフレームスケジューリング識別子１０３８とを、送信することができる（１０３４）。一態様では、ｅＮＢ１０１０ａは、ｅＮＢ１０１０ａとｅＮＢ１０１０ｂとの間のバックホール接続１０３０を通じて、クロスサブフレームスケジューリング識別子１０３８を送信することができる。
【００６４】
図１０は、スケジューリング情報１０３６とクロスサブフレームスケジューリング識別子１０３８とが、同じサブフレームで送信されるのを示すが、実施例はこれに限定されない。たとえば、またはあるいは、クロスサブフレーム識別子１０３８は、ペイロードサブフレーム（ｎ）よりもｋ個のサブフレームだけ前の定められたサブフレームの間に、送信され得る。たとえば、ｋは、ｎ−ｋが保護されたサブフレームとなるように、静的にまたは動的にｅＮＢによって選ばれ得る（この情報は、ｅＮＢにおいては知ることができるが、ＵＥにおいては知ることができない）。さらに、ｋは、ＷＳをウィンドウサイズとして、１≦ｋ≦ＷＳとなるように選択されてよく、ＷＳ＜２０となり、ウィンドウｎ−ＷＳ、...、ｎ−１の中に少なくとも１つの保護されたサブフレームが存在するような、整数のパラメータであってもよい。ｎが、ペイロード１０４０が送信されるサブフレームであるとすると、ＵＥ１０２０ａは、クロスサブフレーム識別子１０３８（たとえば、ＸＳＩ−ＲＮＴＩ）の許可のための、すべてのサブフレームｎ−ＷＳ、ｎ−ＷＳ＋１、...、ｎ−１のチャネル（たとえばＰＤＣＣＨ）を監視するように、動作可能であってよい。
【００６５】
ＸＳＩ−ＲＮＴＩの許可が、サブフレームｎ−ｍにおいて復号に成功すると、前記許可の内容を用いて、ペイロード１０４０（この例ではサブフレームｎ）を搬送するデータチャネル（たとえばＰＤＳＣＨ）を含む、ｅＮＢ１０１０ｂからの送信１０３２を復号することができる。
【００６６】
同様に、ページングのために、新たな識別情報である、クロスサブフレームページング無線ネットワーク一時識別子（ＸＰ−ＲＮＴＩ：cross subframe paging radio network temporary identifier）が導入され得る。そのような態様では、ＸＰ−ＲＮＴＩによるクロスサブフレームＰＤＣＣＨの許可は、サブフレームが利用不可能（Ｎ）であるとマークされた場合であっても、ページングの時よりも前に送信され得る。一態様では、ＵＥ１０２０ａは、ペイロード送信に使用されるサブフレームで、受信されたＳＩ−ＲＮＴＩによってブロードキャストチャネルスケジューリング情報を復号しようとするように、動作可能であってよい。そのような態様では、受信されたスケジューリング情報が、正確に復号された場合には、ハードコードされた情報に優先し得る。
【００６７】
たとえば、ペイロードのために用いられる周波数リソースならびに変調および符号化方式（ＭＣＳ：modulation and coding schemes）は、ハードコードされてよく、ＵＥ１０２０ａに対して既知であってよい。さらに、周波数リソースは、セル識別子または電力クラスに依存し得る。一態様では、ハードコードされたデフォルトのチャネル設定は、第１のｅＮＢの電力クラスとセル識別子とに基づいて定められ得る。たとえば、マクロｅＮＢの電力クラスは、フェムトｅＮＢの電力クラスとは異なる設定を有してよく、フェムトｅＮＢの電力クラスは、ピコｅＮＢの電力クラスとは異なる設定を含んでもよい。したがって、ＵＥ１０２０ａは、制御チャネル識別子によって対応する制御チャネルを復号する必要なく、ペイロードを搬送するサブフレームのデータチャネルの復号のために、この演繹的な情報を用いることができる。
【００６８】
ＩＩＩ．ＳＩＢ１の二重送信
図１１は、干渉側ｅＮＢ１１１０ａが、被干渉側ｅＮＢ１１１０ｂとＵＥ１１２０ａとの間の通信に干渉し得る、さらに別のワイヤレス通信システムを示す。一態様では、ＵＥ１１２０ａは、サブフレームｎの中のブロードキャストチャネルスケジューリング情報１１３６（たとえば、システム情報無線ネットワーク一時識別子（ＳＩ−ＲＮＴＩ：system information radio network temporary identifier））によって、ペイロード１１３８（たとえば、ＰＤＣＣＨペイロード）を復号しようとするように動作可能であってよい。加えて、クロスサブフレームスケジューリング識別子１１３４（たとえばＸＳＩ−ＲＮＴＩ）は、サブフレームｎにおいて、ブロードキャストチャネルスケジューリング情報１１３６の受信の前に、受信されてよい。
【００６９】
ＸＳＩ−ＲＮＴＩ１１３４とＳＩ−ＲＮＴＩ１１３６の両方の許可が、同じペイロード１１３８の送信に関連し、両方が正常に復号された場合、ＵＥ１１２０ａは、それらの内容を比較することができる。ＸＳＩ−ＲＮＴＩの許可とＳＩ−ＲＮＴＩの許可が異なる場合、ＵＥ１１２０ａは、それらのうちの１つをランダムに選んでもよく、何らかのメトリック（たとえば可能性のメトリック）に基づいて１つを選んでもよく、次のＳＩＢ１の機会に飛ばしてもよく、２つの許可のソフトコンバインを試みるなどしてもよい。次いで、選択された／組み合わされた内容を用いて、サブフレームｎの中のペイロードを復号することができる。ＸＳＩ−ＲＮＴＩの許可が、上で述べられたウィンドウにおいて正常に受信されない場合、ＵＥ１１２０ａは、ＳＩ−ＲＮＴＩの許可のためのサブフレームｎのＰＤＣＣＨを監視することができる。
【００７０】
言い換えると、ｅＮＢ１１１０ｂは、ブロードキャストチャネルスケジューリング情報１１３４と、ペイロード１１３８（たとえばＳＩＢ１）とを、１回目は（従来のＵＥのために）等間隔の無線フレームでサブフレーム５において、２回目は（改善型のＵＥのために）別の第２の場所１１３６において、２回送信することができる（１１３２）。第２の場所は、保護された（Ｕ）サブフレームを含み得る。たとえば、ペイロードは、（ペイロードの送信による余計なオーバーヘッドの使用を少なくするために）２０ｍｓに近い周期の、Ｕのサブフレームで送信され得る。ＴＤＭの区分が８ｍｓの場合、第２のペイロードは、周期が１６ｍｓのＳＩＢ１を有するＵのサブフレームを用いて送られ得る。ペイロードのスケジューリングは、静的リソース区分情報（ＳＲＰＩ：Static Resource Partitioning Information）に基づいて決定され得る。ペイロードは、
【数１】
2013524738.tif 000003
【００７１】
であれば、サブフレームｎで送ることができる。
【００７２】
一態様では、ＳＲＰＩは、保護されたサブフレームに対してはＵ、使用不可能なサブフレームに対してはＮ、他のサブフレームに対してはＸの値を有し得る。
【００７３】
別の態様では、干渉調整モジュール９３０は、保護されたサブフレームの間に、様々なシステム情報ブロックタイプを送信するように動作可能であってよい。たとえば、ｅＮＢは、周期が８個のサブフレームよりも長い保護されたサブフレームの中に、システム情報ブロックの送信をスケジューリングすることを望み得る。
【００７４】
ある態様では、主要な干渉の状況における通信は、ブロードキャストチャネル干渉調整方式のような、１つまたは複数の干渉調整方式によってサポートされ得る。上で説明された干渉調整方式と関連付けられる様々な装置および方法が、図９から図２１を参照して与えられる。
【００７５】
図１２では、ある態様による、ＵＥ６５０のようなユーザ装置（ＵＥ）のさらなる説明が示される。ＵＥ１２００は、たとえば、受信アンテナ（図示せず）からの信号を受信し、受信された信号に対して典型的な動作を実行し（たとえば、フィルタリング、増幅、ダウンコンバートなどを行い）、調整された信号をデジタル化してサンプルを得る、受信機１２０２を含み得る。受信機１２０２は、受信されたシンボルを復調でき、シンボルをチャネル推定のためにプロセッサ１２０６に提供できる、復調器１２０４を含み得る。プロセッサ１２０６は、受信機１２０２によって受信された情報を分析し、かつ／もしくは送信機１２２０による送信のための情報を生成するのに専用のプロセッサ、ＵＥ１２００の１つまたは複数のコンポーネントを制御するプロセッサ、および／または、受信機１２０２によって受信された情報の分析と、送信機１２２０による送信のための情報の生成と、ＵＥ１２００の１つまたは複数のコンポーネントの制御とをともに行うプロセッサであってよい。
【００７６】
ＵＥ１２００は、メモリ１２０８をさらに含んでもよく、メモリ１２０８は、プロセッサ１２０６に動作可能に結合され、送信されるべきデータ、受信されたデータ、利用可能なチャネルに関連する情報、分析された信号および／または干渉の強度と関連付けられるデータ、割り当てられたチャネル、出力、速度などと関連する情報、ならびに、チャネルを推定しチャネルを介して通信するための任意の他の適切な情報を、記憶することができる。メモリ１２０８はさらに、（たとえば、性能、容量などに基づいて）チャネルを推定することおよび／または利用することに関連する、プロトコルおよび／またはアルゴリズムを記憶することができる。一態様では、メモリ１２０８は、図１０を参照して論じられたような、デフォルトのチャネル設定１２１０を含み得る。
【００７７】
さらに、プロセッサ１２０６は、１つまたは複数のブロードキャストチャネル干渉調整方式に基づいて、第１の基地局（たとえばｅＮＢ）と関連付けられるブロードキャストチャネルによるペイロードの１つまたは複数のブロードキャストのための、ブロードキャストチャネルスケジューリング情報を決定するための手段を、提供することができる。一態様では、第１の基地局と関連付けられるブロードキャストチャネルの受信は、第２の基地局からの１つまたは複数の送信に少なくとも一部基づいて干渉される。プロセッサ１２０６はさらに、決定されたブロードキャストチャネルスケジューリング情報に基づいて、ペイロードを受信するための手段を含み得る。
【００７８】
本明細書で説明するデータ記憶装置（たとえば、メモリ１２０８）は、揮発性メモリまたは不揮発性メモリのいずれかであってよく、あるいは揮発性メモリと不揮発性メモリの両方を含んでもよいことを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含み得る。揮発性メモリは、外部キャッシュメモリとして動作するランダムアクセスメモリ（ＲＡＭ）を含み得る。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ１２０８は、限定はされないが、これらおよび他の適切なタイプのメモリを含み得る。
【００７９】
ＵＥ１２００はさらに、干渉の大きい環境における通信を支援するための、干渉調整モジュール１２３０を含み得る。一態様では、干渉調整モジュール１２３０は、（たとえば図８で示されたような）干渉の大きい条件において、動作可能であってよい。干渉調整モジュール１２３０はさらに、第２のｅＮＢ（たとえば、フェムトｅＮＢ、マクロｅＮＢなど）が信号受信に干渉している時に、第１のｅＮＢ（たとえば、マクロｅＮＢ、ピコｅＮＢなど）からのブロードキャストチャネル情報を取得して処理するのを助けるために、ブロードキャストチャネル分析モジュール１２３２を含み得る。
【００８０】
一態様では、ブロードキャストチャネル分析モジュール１２３２は、クロスサブフレーム識別子モジュール１２３４を含み得る。一態様では、後のサブフレームで受信され得るペイロードを参照するために、ブロードキャストチャネルスケジューリング情報の第１のインスタンスが使用され得る。そのような態様では、第１のインスタンスは、クロスサブフレーム識別子と呼ばれ得る。クロスサブフレーム識別子モジュール１２３４は、クロスサブフレーム識別子を監視するように動作可能であり得る。
【００８１】
干渉調整モジュール１２３０はさらに、干渉を引き起こす第２のｅＮＢの影響下にＵＥがある時に、第１のｅＮＢからの送信されたペイロードへのアクセスを支援するための、データチャネル分析モジュール１２３６を含み得る。一態様では、データチャネルリソース内で通信される様々なペイロードは、直交して割り当てられ得る。そのような態様では、干渉するｅＮＢは、第１のｅＮＢからのペイロード送信に割り当てられたリソースブロック（ＲＢ）で、送信することができない。
【００８２】
一態様では、図１０を参照して論じられたように、ｅＮＢはバックホールを通じてネゴシエーションして、ペイロードのリソース割り当てを決定することができる。別の態様では、リソース割り当ては、ｅＮＢの電力クラスに依存してもよく、ハードコードされてもよい。たとえば、図１０に示されるように、ｅＮＢ１０１０ａおよび１０１０ｂに対するリソース割り当ては、それぞれ、それらのｅＮＢの電力クラスに基づいて、すなわちマクロセルかピコセルかに基づいて定義されてよく、ＵＥ１０２０ａは、異なる電力クラスのｅＮＢからの異なる信号を受信するように、ハードコードされ得る。１つのそのような態様では、ハードコードされた情報は、デフォルトのチャネル設定１２１０とともに、ＵＥ１２００、メモリ１２０８に記憶され得る。
【００８３】
さらに、ＵＥ１２００はユーザインターフェース１２４０を含み得る。ユーザインターフェース１２４０は、通信デバイス１２００への入力を生成するための入力機構１２４２と、ＵＥ１２００のユーザによって使用される情報を生成するための出力機構１２４２とを含み得る。たとえば、入力機構１２４２は、キーまたはキーボード、マウス、タッチスクリーンディスプレイ、マイクロフォンなどのような機構を含み得る。さらに、たとえば、出力機構１２４４は、ディスプレイ、音声スピーカ、触覚によるフィードバック機構、パーソナルエリアネットワーク（ＰＡＮ）送受信機などを含み得る。例示される態様では、出力機構１２４４は、画像または映像のフォーマットでメディアコンテンツを提示するように動作可能なディスプレイ、または、音声フォーマットでメディアコンテンツを提示するための音声スピーカを含み得る。
【００８４】
図１３を参照すると、図２に示したｅＮＢ２０４のような、干渉調整システム１３００の詳細なブロック図が示されている。干渉調整システム１３００は、任意のタイプのハードウェア、サーバ、パーソナルコンピュータ、ミニコンピュータ、メインフレームコンピュータ、または専用もしくは汎用いずれかの任意のコンピューティングデバイスのうちの少なくとも１つを含み得る。さらに、本明細書において、干渉調整システム１３００上で動作するものとして、または干渉調整システム１３００によって実行されるものとして説明されるモジュールおよびアプリケーションは、図２に示すように単一のネットワークデバイス上で完全に実行されてよく、または代替的に、他の態様では、別個のサーバ、データベースまたはコンピュータデバイスが協調して動作して、使用可能なフォーマットのデータを当事者に提供することができ、かつ／もしくは、通信デバイス２０６と干渉調整システム１３００によって実行されるモジュールおよびアプリケーションとの間のデータフローにおける別個の制御のレイヤを提供することができる。
【００８５】
干渉調整システム１３００は、有線ネットワークおよびワイヤレスネットワーク上でデータを送信および受信することができ、ルーチンおよびアプリケーションを実行することができる、コンピュータプラットフォーム１３０２を含む。コンピュータプラットフォーム１３０２は、読取り専用および／もしくはランダムアクセスメモリ（ＲＯＭおよびＲＡＭ）、ＥＰＲＯＭ、ＥＥＰＲＯＭ、フラッシュカード、または、コンピュータプラットフォームに共通したいずれかのメモリなどの揮発性および不揮発性メモリを含み得る、メモリ１３０４を含む。さらに、メモリ１３０４は、１つまたは複数のフラッシュメモリセルを含むか、あるいは磁気媒体、光学媒体、テープ、またはソフトもしくはハードディスクなど、二次または三次記憶デバイスとすることができる。さらに、コンピュータプラットフォーム１３０２は、特定用途向け集積回路（「ＡＳＩＣ」）、または他のチップセット、論理回路、または他のデータ処理デバイスであり得るプロセッサ１３３０をも含む。プロセッサ１３３０は、干渉調整システム１３００の機能と、有線ネットワークおよびワイヤレスネットワーク上でのシステムの動作とを可能にする、ハードウェア、ファームウェア、ソフトウェア、およびそれらの組合せで具現化される様々な処理サブシステム１３３２を含み得る。
【００８６】
一態様では、プロセッサ１３３０は、１つまたは複数のブロードキャストチャネル干渉調整方式に基づいて、第１の基地局と関連付けられるペイロードのためのブロードキャストチャネルスケジューリング情報を通信するための、手段を提供することができる。一態様では、第２の基地局からの干渉が、第１の基地局によってブロードキャストされるブロードキャストチャネルスケジューリング情報の受信に干渉する。プロセッサ１３３０はまた、１つまたは複数のブロードキャストチャネル干渉方式に基づいてペイロードを送信するための、手段を提供することができる。
【００８７】
コンピュータプラットフォーム１３０２は、サービスプロバイダシステム１３００の様々な構成要素間の通信、およびサービスプロバイダシステム１３００、デバイス２０６、ｅＮＢ２０４の間の通信を可能にする、ハードウェア、ファームウェア、ソフトウェア、およびそれらの組合せで具現化される通信モジュール１３５０をさらに含む。通信モジュール１３５０は、ワイヤレス通信接続を確立するための必要なハードウェア、ファームウェア、ソフトウェア、および／またはそれらの組合せを含み得る。説明される態様によれば、通信モジュール１３５０は、要求されたコンテンツアイテム、制御情報などのワイヤレスなブロードキャスト、マルチキャストおよび／またはユニキャスト通信を支援するために必要な、ハードウェア、ファームウェアおよび／またはソフトウェアを含み得る。
【００８８】
コンピュータプラットフォーム１３０２は、デバイス２０６、ｅＮＢ２０４などから受信されるメトリック、とりわけデバイス２０６と通信されるデータの干渉レベルに対応するメトリックを可能にする、ハードウェア、ファームウェア、ソフトウェア、およびそれらの組合せで具現化されるメトリックモジュール１３４０をさらに含む。一態様では、干渉調整システム１３００は、メトリックモジュール１３４０を介して受信したデータを分析して、デバイス２０６との将来の通信に利用可能な干渉調整方式を変更することができる。
【００８９】
干渉調整システム１３００のメモリ１３０４は、干渉が大きな環境におけるＵＥとの通信を支援するように動作可能である、干渉調整モジュール１３１０を含む。一態様では、干渉調整モジュール１３１０は、ブロードキャストチャネルスケジューリング方式１３１２と、データチャネル調整方式１３１４とを含み得る。一態様では、ブロードキャストチャネルスケジューリング方式１３１２は、干渉するｅＮＢを用いて、干渉を受けているｅＮＢのためのペイロードスケジューリング情報をブロードキャストすることを含み得る。別の態様では、ブロードキャストチャネルスケジューリング方式１３１２は、ペイロードのための前の（空いた）サブフレームにおいて、スケジューリングの許可を提供することを含み得る。言い換えると、スケジューリングの許可は、異なるサブフレーム（たとえばクロスサブフレームスケジューリング）のペイロードを対象とし得る。さらに、干渉されるｅＮＢ（たとえば、被干渉側ノード）が、たとえば、干渉側ノードが制御チャネル情報を送信しない、保護されたサブフレームでクロスサブフレームの許可を送信する場合、クロスサブフレームの許可を正常に復号することができる。既存の従来のＵＥは、クロスサブフレームのグラントを無視してよく、ペイロードに対応するサブフレーム上で、依然として、ペイロードのための制御チャネルスケジューリング情報を復号しようとしてよい。
【００９０】
一態様では、データ制御調整方式１３１４は、リソースを直交して割り当てることを含み得る。言い換えると、データチャネルリソースは、直交して割り当てられ得る。そのような態様では、干渉するｅＮＢは、第１のｅＮＢからのペイロード送信に割り当てられたリソースブロック（ＲＢ）で、送信することができない。一態様では、ｅＮＢ間でのバックホールを通じた周波数リソースのネゴシエーションが、ペイロードのＲＢの割り当てに用いられ得る。別の態様では、リソース割り当ては、ｅＮＢの電力クラスに依存してもよく、ハードコードされてもよい。
【００９１】
一態様では、干渉調整モジュール１３１０は、上で説明されたペイロードが送信されることになるサブフレームの間に、データを送信するように動作可能であり得る。一態様では、干渉側ｅＮＢ（たとえば、フェムトｅＮＢ）は、被干渉側ｅＮＢがペイロードを送信しているＲＢで、データを送信することができない。対照的に、被干渉側のｅＮＢ（たとえばマクロｅＮＢ）は、干渉側がＳＩＢ１を送信しているＲＢで、データを送信してもよく、送信しなくてもよい。たとえば、ＵＥに対するデータ送信は、フェムトカバレッジエリアにはない時にのみ、起こり得る。
【００９２】
別の態様では、周波数リソースが直交化されても、スケジューリング情報が依然として、ペイロードの送達に用いられるサブフレーム上で妨害されることがある。そのような態様では、干渉調整モジュール１３１０は、被干渉側ｅＮＢが、たとえば、あらゆるデータを送信するのを避けることを可能とするように、干渉側のカバレッジの中にないＵＥにのみデータを送信することを可能とするように、任意のＵＥにデータを送信することを可能とするように、異なる電力クラスの間でのスケジューリング情報の送信の割り当てを支援することを可能とするように、ＵＥに干渉の相殺の実行を促すことを可能とするように、動作可能であり得る。
【００９３】
さらに別の態様では、サブフレームｎがペイロード（たとえばＳＩＢ１）の送達に用いられ、被干渉側ｅＮＢとの通信を試みているＵＥが、サブフレームｎ−４において、アップリンク（たとえば物理アップリンク共有チャネル（ＰＵＳＣＨ））送信をスケジューリングされている場合、サブフレームｎのＰＨＩＣＨで送信されるＡＣＫ／ＮＡＣＫは、妨害され得る。そのような態様では、干渉調整モジュール１３１０は、被干渉側ｅＮＢが、たとえば、サブフレームｎ−４（オーバーヘッド）における任意のＵＬ送信のスケジューリングを避けること、干渉側のカバレッジにはないＵＥのみから、サブフレームｎ−４の中でＵＬデータをスケジューリングすること、異なる電力クラスの間での送信の割り当てを支援すること、ＵＥに干渉の相殺の実行を促すことを、可能にすることができる。
【００９４】
図１４は、ＤＬフレーム構造の例を示す。しかし、当業者が容易に諒解するように、任意の具体的な適用例のためのフレーム構造は、任意の数の要因に応じて異なり得る。この例では、フレーム（１０ｍｓ）は、等しいサイズの１０個のサブフレームに分割されている。各サブフレームは、２つの連続するタイムスロットを含む。２つのタイムスロットを表すためにリソースグリッドが使用されてよく、各々の２つのタイムスロットはリソースブロックを含む。リソースグリッドは複数のリソース要素に分割される。ＬＴＥでは、リソースブロックは、周波数領域中に１２個の連続サブキャリアを含み、各ＯＦＤＭシンボル中の通常のサイクリックプレフィックスについて、時間領域中に７個の連続ＯＦＤＭシンボル、または８４個リソース要素を含む。各リソース要素によって搬送されるビット数は、変調方式に依存する。すなわち、ＵＥが受信するリソースブロックが多いほど、また変調方式が高いほど、ＵＥのデータレートは高くなる。
【００９５】
一態様では、制御チャネル情報が、データチャネルを通じて送信され得る。たとえば、図１４で説明されるように、中継物理データ制御チャネル（Ｒ−ＰＤＣＣＨ：relay physical data control channel）（１４０８）に基づく手法が、用いられ得る。一態様では、ＤＬフレームは、使用されていないＲＳ（１４０２）と、ＤＭ−ＲＳ（１４０４）を通信するのに用いられるＲＳと、ＰＨＩＣＨ（１４０６）を通信するのに用いられるＲＳと、ＰＤＣＣＨおよび／またはＲ−ＰＤＣＣＨ（１４０８）を通信するのに用いられるＲＳとを含み得る。一般に、Ｒ−ＰＤＣＣＨ（１４０８）は、干渉の存在下でも、ＰＤＣＣＨ（１４０８）の復号を可能にするために用いられ得る。さらに、一態様では、ＰＤＣＣＨは、ＰＤＳＣＨ領域の内部に組み込まれてよい。そのような態様では、ＰＤＣＣＨは、被干渉側ｅＮＢと干渉側ｅＮＢとの間の直交化を用いて、組み込まれ得る。さらに、そのような態様では、ＯＦＤＭシンボルの第１のインスタンス（従来のＰＤＣＣＨを搬送する）が妨害されたとしても、受信機は、保護されたリソース上でＲ−ＰＤＣＣＨを用いて送信される、ＯＦＤＭシンボルの第２のインスタンスを復号することができる。１つのそのような例では、Ｒ−ＰＤＣＣＨは、対応するＰＤＣＣＨと同じ内容を搬送する。
【００９６】
さらに、Ｒ−ＰＤＣＣＨは、ＳＩＢ１の送達とページングとを助けるために、用いられ得る。たとえば、ＰＤＣＣＨにおけるＳＩ−ＲＮＴＩに基づく許可に加えて、重複する許可が、同じサブフレームのＲ−ＰＤＣＣＨの内部に加えられ得る。そのような態様では、Ｒｅｌ−１０  ＵＥは、ＰＤＣＣＨの復号を試みることができる。その試みが失敗すると、Ｒｅｌ−１０  ＵＥは、Ｒ−ＰＤＣＣＨに加えられた重複するＳＩ−ＲＮＴＩの許可を復号しようとすることができる。一態様では、保護されたリソースのネゴシエーションは、データのペイロード（ＰＤＳＣＨ）のためだけではなく、許可情報（たとえばＲ−ＰＤＣＣＨリソース）のためにも、干渉側ノードと被干渉側ノードとの間で行われ得る。
【００９７】
別の態様では、単一周波数ネットワークを通じたマルチメディアブロードキャスト（ＭＢＳＦＮ：Multi-Media Broadcast over a Single Frequency Network）のサブフレームが、干渉側によって用いられるＳＩＢ１／ページングサブフレームの保護のために用いられ得る。１つのそのような態様では、被干渉側ｅＮＢによって用いられる制御情報のサブフレームの時間は、干渉側ｅＮＢのＭＢＳＦＮサブフレームと一致するように決められ得る。一態様では、ＰＤＳＣＨ領域は空いていることがあるので、Ｒ−ＰＤＣＣＨと対応するペイロードの両方が復号され得る。そのような態様の１つの利点は、干渉側ｅＮＢと被干渉側ｅＮＢとの間で、ＦＤＭリソースの直交化（および対応するネゴシエーション）を用いなくてもよいということである。
【００９８】
図１５〜図２１は、特許請求される主題に従った様々な方法を示す。説明を簡単にするために、方法を一連の行為として図示および説明するが、いくつかの行為は本明細書で図示および説明する行為とは異なる順序で、かつ／または他の行為と同時に、行うことができるので、特許請求される主題は行為の順序によって限定されないことを理解および諒解されたい。たとえば、方法は、状態図など、一連の相互に関連する状態または事象として代替的に表現できることを、当業者は理解し諒解するであろう。さらに、特許請求される主題による方法を実施するために、図示のすべての行為が必要とされるわけではない。さらに、以下および本明細書の全体にわたって開示する方法は、そのような方法をコンピュータに移送および転送することを容易にする製造物品に記憶することが可能であることを、さらに諒解されたい。本明細書で使用する製造物品という用語は、任意のコンピュータ可読デバイス、キャリア、または媒体からアクセス可能なコンピュータプログラムを包含するものとする。
【００９９】
図１５は、ワイヤレス通信の方法の流れ図１５００である。方法は、１つまたは複数のブロードキャストチャネル干渉調整方式に基づいて、第１のｅＮＢと関連付けられるブロードキャストチャネルによるペイロードの１つまたは複数のブロードキャストのための、ブロードキャストチャネルスケジューリング情報を決定することを、含み得る（１５０２）。第１のｅＮＢと関連付けられるブロードキャストチャネルの受信は、第２のｅＮＢからの１つまたは複数の送信に少なくとも一部基づいて干渉される。一態様では、１つまたは複数のブロードキャストチャネル干渉調整方式の１つは、第２のｅＮＢによるブロードキャストから、ブロードキャストチャネルスケジューリング情報を受信することを含み得る。そのような態様では、第２のｅＮＢからのブロードキャストは、第２のｅＮＢのためのブロードキャスト情報と、第１のｅＮＢと関連付けられるブロードキャストチャネルスケジューリング情報とを含む。第２のｅＮＢは、バックホールネットワーク接続を通じて、第１のｅＮＢからブロードキャストチャネルスケジューリング情報を取得する。様々なブロードキャストチャネル干渉調整方式が、図１７と、図１８と、図１９とをさらに参照して論じられる。
【０１００】
加えて、方法はさらに、決定されたブロードキャストチャネルスケジューリング情報に基づいて、ペイロードを受信することを含む（１５０４）。一態様では、第１のｅＮＢと関連付けられたペイロードは、ＵＥにハードコードされ得るデフォルトのスケジューリング情報に基づいてブロードキャストされる。そのような態様では、デフォルトのスケジューリング情報は、第１のｅＮＢの電力クラス、第１のｅＮＢのセル識別子などに依存し得る。一態様では、ペイロードは、ページングメッセージ、ＳＩＢ１、ＳＩＢ２、ＳＩＢ３、ＳＩＢ４、ＳＩＢ５などを含み得る。別の態様では、受信することは、第１のサブフレームの間に、第１のｅＮＢと関連付けられるペイロードを受信することを含み得る。そのような態様では、第２のｅＮＢと関連付けられるペイロードは、第１のサブフレームの間に、第２のｅＮＢによって送信されてよく、第１のｅＮＢと関連付けられるペイロードおよび第２のｅＮＢと関連付けられるペイロードは、別々の周波数リソースに割り当てられる。そのような態様では、別々の周波数リソースは、静的に、または、バックホールネットワーク接続を通じて第１のｅＮＢと第２のｅＮＢとの間でネゴシエーションされて、割り当てられ得る。一態様では、第１のｅＮＢの受信電力は、第２のｅＮＢの受信電力よりも低いことがある。一態様では、第１のｅＮＢはピコセルであってよく、第２のｅＮＢはマクロセルであってよい。一態様では、第１のｅＮＢはマクロセルであってよく、第２のｅＮＢはフェムトセルであってよい。
【０１０１】
図１６は、例示的な装置１０２の機能を示す概念的なブロック図１６００である。ＵＥであってよい装置１０２は、複数のｅＮＢからの信号を検出する、ブロードキャストチャネル受信モジュール１６０２を含む。ブロードキャストチャネル受信モジュール１６０２は、複数のｅＮＢからの信号を検出する。ブロードキャストチャネル干渉調整モジュール１６０４は、受信された信号を解釈して、１つまたは複数のブロードキャスト干渉調整方式のうちのどれを、第１のｅＮＢ（たとえば被干渉側ｅＮＢ）のためのブロードキャストチャネルスケジューリング情報のアクセスに用いることができるかを、判定する。サービングｅＮＢからの信号は、１つまたは複数の近隣セルからの干渉を含む。一態様では、ブロードキャストチャネル受信モジュール１６０２は、第１のｅＮＢのためのブロードキャストチャネルスケジューリング情報を含む、第２のｅＮＢからの信号を受信することができる。ブロードキャストチャネル干渉調整モジュール１６０４は、適用可能なブロードキャスト干渉調整方式を決定し、その方式と、１つまたは複数のｅＮＢから受信された信号とを、信号処理モジュール１６０６に通信する。信号処理モジュール１６０６は、ブロードキャスト干渉調整方式からの情報を用いて１つまたは複数の信号を処理して、第１の（たとえば被干渉側の）ｅＮＢからのペイロードを復号することができる。装置１０２は、図１５および図１７〜図１９の流れ図におけるステップの各々を実行する、追加のモジュールを含み得る。したがって、図１５および図１７〜図１９の流れ図における各ステップは、モジュールによって実行されてよく、装置１０２は、そうしたモジュールの１つまたは複数を含み得る。
【０１０２】
図１７は、ワイヤレス通信の方法の流れ図１７００である。方法は、第１のサブフレームにおいて、ペイロードのためのブロードキャストチャネルスケジューリング情報を受信することを含む（１７０２）。方法はまた、第１のサブフレームで受信されたブロードキャストチャネルスケジューリング情報に基づいて、ペイロードを受信するための第２のサブフレームを決定することを含む（１７０４）。そのような態様では、第１のサブフレームは、第２のサブフレームの前のサブフレームの定められたウィンドウ内で発生し、定められたウィンドウは、少なくとも１つの保護されたサブフレームを含み得る。加えて、方法は、第２のサブフレームにおいてペイロードを受信することを含み得る（１７０６）。さらに、方法は、ブロードキャストチャネルスケジューリング情報を用いて、ペイロードを復号することを含み得る（１７０８）。
【０１０３】
図１８は、ワイヤレス通信の方法の流れ図１８００である。方法は、第１のサブフレームにおいて、ブロードキャストチャネルスケジューリング情報の第１のインスタンスを受信することを含む（１８０２）。方法はさらに、第２のサブフレームにおいて、ブロードキャストスケジューリング情報の第２のインスタンスを受信することを含む（１８０４）。方法はさらに、ブロードキャストスケジューリング情報の第１のインスタンスと第２のインスタンスが異なると判定することと、ブロードキャストチャネルスケジューリング情報の第３のインスタンスを取得することとを含む（１８０６）。そのような態様では、第３のインスタンスは、第１のブロードキャストチャネルスケジューリング情報と、ブロードキャストの第２のインスタンスとのいずれかを選択して、選択されないインスタンスを無視することによって、取得され得る。第３のインスタンスは、ブロードキャストスケジューリング情報の第１のインスタンスと第２のインスタンスの両方に、可能性のメトリックを適用して、より可能性の高いインスタンスを決定することによって、取得され得る。さらに、第３のインスタンスは、ブロードキャストスケジューリング情報の第１のインスタンスと第２のインスタンスとをソフトコンバインして、第３のインスタンスを生成することなどによって、取得され得る。方法はさらに、第３のインスタンスを用いて、ペイロードを復号することを含む（１８０８）。
【０１０４】
図１９は、ワイヤレス通信の方法の流れ図１９００である。方法は、第１のサブフレームの間に、ペイロードの第２のインスタンスを受信できるようにするために、第２のｅＮＢがバックオフするであろうと判定することを、含む（１９０２）。そのような態様では、バックオフは、ペイロードの第２のインスタンスをブロードキャストするよう、第１のｅＮＢによって用いられる１つまたは複数のサブフレームに対して構成される。さらに、そのような態様では、バックオフは、たとえば、第２のｅＮＢによる送信電力を低減すること、第１のｅＮＢによって用いられる１つまたは複数のサブフレームでの第２のｅＮＢによる送信を回避して、ペイロードの第２のインスタンスを送信することのために、構成され得る。そのような態様では、ブロードキャストスケジューリング情報は、接続されたモードでのページングに対して、特に調整され得る。たとえば、被干渉側ｅＮＢは、「Ｎ」のサブフレームでページングを行わなければならないことがある。前で述べられたように、Ｎのサブフレームは原則として禁止され、強い干渉によって影響を受け得る。ＰＤＳＣＨ領域がＦＤＭで区分されたとしても、ＵＥは、対応するＰＤＣＣＨの許可を復号できないことがある。１つのそのような態様では、干渉側は、被干渉側ノードのページを送信できるので、被干渉側ノードと関連付けられるＵＥは、それらのページを透過的に復号することができる。別の態様では、被干渉側のノードは、被干渉側が使用する予定である干渉側のＵのサブフレーム上にある特定のページングの機会をバックオフするために、干渉側ノードと通信することができる。サブフレームが被干渉側のためのＮのサブフレームであったとしても、被干渉側ノードは、干渉側ノードによって動的に空けられ得る（たとえば、ワンショットダイナミックＵサブフレーム）。さらに、干渉側ノードは、バックオフ要求が承認された場合、（このサブフレームが干渉側ノードに対してＵであったとしても）、データまたは制御のためにこのサブフレームを用いることはできない。方法はさらに、第１のサブフレームにおいて、ペイロードの第２のインスタンスを受信することを含む（１９０４）。一態様では、第１のサブフレームは、第１のｅＮＢのための保護されたサブフレームではない。
【０１０５】
別の態様では、１つまたは複数のブロードキャストチャネル干渉調整方式の１つは、データチャネルを用いて、ブロードキャストチャネルスケジューリング情報の第２のインスタンスを受信することを含み得る。そのような態様では、ブロードキャストチャネルスケジューリング情報は、第２のｅＮＢによって送信されているコンテンツとは別個に、直交して、ＰＤＳＣＨに組み込まれ得る。さらに、そのような態様では、データチャネルはＰＤＳＣＨを含んでもよく、ブロードキャストチャネルスケジューリング情報の第２のインスタンスは、ある場所においてＰＤＳＣＨに組み込まれ得る。ブロードキャストチャネルスケジューリング情報は、第２のｅＮＢによって送信されているコンテンツとは、直交して別個である。さらに、そのような態様では、ブロードキャストチャネルスケジューリング情報の第２のインスタンスの場所は、第１のｅＮＢと第２のｅＮＢとの間でネゴシエーションされ得る。そのような態様では、ブロードキャストチャネルスケジューリング情報の第２のインスタンスは、第１のｅＮＢのためのＭＢＳＦＮサブフレームに組み込まれ得る。さらに、そのような態様では、第１のｅＮＢのためのＭＢＳＦＮサブフレームは、第２のｅＮＢのためのＭＢＳＦＮサブフレームと揃えられ得る。
【０１０６】
図２０は、ワイヤレス通信の方法の流れ図２０００である。方法は、第１のｅＮＢによって、１つまたは複数のブロードキャストチャネル干渉調整方式に基づいて、第１のｅＮＢと関連付けられたペイロードのためのブロードチャネルスケジューリング情報を送信することを、含み得る（２００２）。一態様では、第２のｅＮＢからの干渉が、第１のｅＮＢによってブロードキャストされるブロードキャストチャネルスケジューリング情報の受信に干渉する。さらに、方法は、１つまたは複数のブロードキャストチャネル干渉方式に基づいて、ペイロードを送信することを含み得る（２００４）。一態様では、第１のｅＮＢと関連付けられたペイロードは、ＵＥにハードコードされ得るデフォルトのスケジューリング情報に基づいてブロードキャストされる。そのような態様では、デフォルトのスケジューリング情報は、第１のｅＮＢの電力クラス、第１のｅＮＢのセル識別子などに依存し得る。一態様では、ペイロードは、ページングメッセージ、ＳＩＢ１、ＳＩＢ２、ＳＩＢ３、ＳＩＢ４、ＳＩＢ５などを含み得る。別の態様では、受信することは、第１のサブフレームの間に、第１のｅＮＢと関連付けられるペイロードを受信することを含み得る。そのような態様では、第２のｅＮＢと関連付けられるペイロードは、第１のサブフレームの間に、第２のｅＮＢによって送信されてよく、第１のｅＮＢと関連付けられるペイロードおよび第２のｅＮＢと関連付けられるペイロードは、別々の周波数リソースに割り当てられる。そのような態様では、別々の周波数リソースは、静的に、または、バックホールネットワーク接続を通じて第１のｅＮＢと第２のｅＮＢとの間でネゴシエーションされて、割り当てられ得る。一態様では、第１のｅＮＢの受信電力は、第２のｅＮＢの受信電力よりも低いことがある。一態様では、第１のｅＮＢはピコセルであってよく、第２のｅＮＢはマクロセルであってよい。一態様では、第１のｅＮＢはマクロセルであってよく、第２のｅＮＢはフェムトセルであってよい。
【０１０７】
図２１は、例示的な装置１０４の機能を示す概念的なブロック図２１００である。ｅＮＢであってよい装置１０４は、第１の（たとえば被干渉側の）ｅＮＢのためのブロードキャストスケジューリング情報を第２の（たとえば干渉側の）ｅＮＢに送信する、被干渉側ｅＮＢのスケジューリング情報モジュール２１０２を含む。一態様では、被干渉側ｅＮＢのスケジューリング情報モジュール２１０２は、干渉側ｅＮＢとのバックホール接続を通じて、ブロードキャストスケジューリング情報を通信することができる。一態様では、被干渉側ｅＮＢのスケジューリング情報は、１つまたは複数のブロードキャストチャネル干渉方式に基づいて決定され得る。Ｔｘ／Ｒｘモジュール２１０８は、被干渉側ｅＮＢのスケジューリング情報モジュール２１０２およびペイロードモジュール２１０６からそれぞれ取得される、被干渉側ｅＮＢのペイロードを伴う被干渉側ブロードキャストチャネルスケジューリング情報を取得する。その後、Ｔｘ／Ｒｘモジュール２１０８は、被干渉側のペイロードを少なくとも送信する。一態様では、Ｔｘ／Ｒｘモジュール２１０８による送信のタイミングおよびコンテンツは、１つまたは複数のブロードキャストチャネル干渉方式に少なくとも一部基づいて決定され得る。
【０１０８】
図１および図６を参照すると、一構成では、ワイヤレス通信のための装置１０４は、第１のｅＮＢによって、１つまたは複数のブロードキャストチャネル干渉方式に基づいて、第１のｅＮＢと関連付けられたペイロードのためのブロードキャストチャネルスケジューリング情報を送信するための手段であって、第２のｅＮＢからの干渉が、第１のｅＮＢによりブロードキャストされるブロードキャストチャネルスケジューリング情報の受信に干渉する、手段と、１つまたは複数のブロードキャストチャネル干渉方式に基づいて、ペイロードを送信するための手段とを含む。装置１０４はさらに、バックホール接続を通じて、ブロードキャストチャネルスケジューリング情報を第２のｅＮＢに送信するための手段を、含み得る。そのような態様では、第２のｅＮＢからのブロードキャストは、第２のｅＮＢのためのブロードキャスト情報と、第１のｅＮＢと関連付けられるブロードキャストチャネルスケジューリング情報とを含む。装置１０４はさらに、第１のサブフレームにおいて、ペイロードのためのブロードキャストチャネルスケジューリング情報を送信するための手段と、第１のサブフレームで送信されるブロードキャストチャネルスケジューリング情報に基づいて、第２のサブフレームでペイロードを送信するための手段とを、含み得る。装置１０４はさらに、第２のペイロードを送信するための手段を含み得る。そのような態様では、第２のペイロードは、第１のサブフレームで送信され、第１のサブフレームは、第１のｅＮＢのための保護されたサブフレームであり、第２のペイロードは、ＳＩＢ２、ＳＩＢ３、ＳＩＢ４、またはＳＩＢ５の少なくとも１つを含む。装置１０４はさらに、第１のサブフレームにおいて、ペイロードの第２のインスタンスを送信するための手段を含み得る。一態様では、第１のサブフレームは、第１のｅＮＢのための保護されたサブフレームではなく、第２のｅＮＢは、ペイロードの第２のインスタンスが受信され得るようにバックオフする。装置１０４はさらに、ブロードキャストチャネルスケジューリング情報の第２のインスタンスの、直交した別個の場所を、第２のｅＮＢとネゴシエーションするための手段を含み得る。装置１０４はさらに、第１のサブフレームの間に、第１のｅＮＢと関連付けられたペイロードを送信するための手段を含み得る。そのような態様では、第２のｅＮＢと関連付けられるペイロードは、第１のサブフレームの間に、第２のｅＮＢによって送信され、第１のｅＮＢと関連付けられるペイロードおよび第２のｅＮＢと関連付けられるペイロードは、別々の周波数リソースに割り当てられる。前述の手段は、ＴＸプロセッサ６１６と、ＲＸプロセッサ６７０と、コントローラ／プロセッサ６７５とを含む。
【０１０９】
別の構成では、ワイヤレス通信のための装置１０２は、１つまたは複数のブロードキャストチャネル干渉調整方式に基づいて、第１のｅＮＢと関連付けられるブロードキャストチャネルによるペイロードの１つまたは複数のブロードキャストのための、ブロードキャストチャネルスケジューリング情報を決定するための手段を含む。さらに、第１のｅＮＢと関連付けられるブロードキャストチャネルの受信は、第２のｅＮＢからの１つまたは複数の送信に少なくとも一部基づいて干渉される。ワイヤレス通信のための装置１０２は、決定されたブロードキャストチャネルスケジューリング情報に基づいて、ペイロードを受信するための手段を含む。装置１０２はさらに、第２のｅＮＢによるブロードキャストから、ブロードキャストチャネルスケジューリング情報を受信するための手段を含み得る。そのような態様では、第２のｅＮＢからのブロードキャストは、第２のｅＮＢのためのブロードキャスト情報と、第１のｅＮＢと関連付けられるブロードキャストチャネルスケジューリング情報とを含み、第２のｅＮＢは、バックホールネットワーク接続を通じて、第１のｅＮＢからブロードキャストチャネルスケジューリング情報を取得する。装置１０２はさらに、第１のサブフレームにおいて、ペイロードのためのブロードキャストチャネルスケジューリング情報を受信するための手段と、第１のサブフレームで受信されるブロードキャストチャネルスケジューリング情報を用いて、第２のサブフレームでペイロードを受信するための手段とを、含み得る。装置１０２はさらに、第１のサブフレームにおいて、ブロードキャストチャネルスケジューリング情報の第１のインスタンスを受信するための手段と、第２のサブフレームにおいて、ブロードキャストスケジューリング情報の第２のインスタンスを受信するための手段と、ブロードキャストスケジューリング情報の第１のインスタンスと第２のインスタンスが異なると判定するための手段と、ブロードキャストチャネルスケジューリング情報の第３のインスタンスを取得するための手段とを、含み得る。そのような態様では、取得するための手段はさらに、第１のブロードキャストチャネルスケジューリング情報と、ブロードキャストの第２のインスタンスとのいずれかを選択して、選択されないインスタンスを無視ための手段を含み得る。取得するための手段はさらに、ブロードキャストスケジューリング情報の第１のインスタンスと第２のインスタンスの両方に、可能性のメトリックを適用して、より可能性の高いインスタンスを決定するための手段を含み得る。取得するための手段はさらに、ブロードキャストスケジューリング情報の第１のインスタンスと第２のインスタンスとをソフトコンバインして、第３のインスタンスを生成するための手段を含み得る。装置１０２はさらに、第２のペイロードを受信するための手段を含み得る。そのような態様では、第２のペイロードは、第１のサブフレームで送信され、第１のサブフレームは、第１のｅＮＢのための保護されたサブフレームであり、第２のペイロードは、ＳＩＢ２、ＳＩＢ３、ＳＩＢ４、またはＳＩＢ５の少なくとも１つを含む。装置１０２はさらに、第１のサブフレームにおいて、ペイロードの第２のインスタンスを受信するための手段を含んでもよく、第１のサブフレームが、第１のｅＮＢのための保護されたサブフレームではなく、第２のｅＮＢが、ペイロードの第２のインスタンスが受信され得るようにバックオフする。装置１０２について、バックオフは、第２のｅＮＢによる送信電力を低減するための手段、または、ペイロードの第２のインスタンスを送信するために、第１のｅＮＢによって用いられる１つまたは複数のサブフレーム上での第２のｅＮＢによる送信を避けるための手段のうちの、少なくとも１つについて構成され得る。装置１０２はさらに、第１のサブフレームの間に、第１のｅＮＢと関連付けられたペイロードを受信するための手段を含み得る。そのような態様では、第２のｅＮＢと関連付けられるペイロードは、第１のサブフレームの間に、第２のｅＮＢによって送信され、第１のｅＮＢと関連付けられるペイロードおよび第２のｅＮＢと関連付けられるペイロードは、別々の周波数リソースに割り当てられる。前述の手段は、ＴＸプロセッサ６６８と、ＲＸプロセッサ６５６と、コントローラ／プロセッサ６５９とを含む。
【０１１０】
開示したプロセスにおけるステップの特定の順序または階層は、例示的な手法の一例であることを理解されたい。設計上の選好に基づいて、プロセスにおけるステップの特定の順序または階層は並べ替えることができることを理解されたい。添付の方法クレームは、様々なステップの要素を例示的な順序で提示したものであり、提示された特定の順序または階層に限定されるものではない。
【０１１１】
以上の説明は、本明細書で説明された様々な態様を、当業者が実行できるようにするために提供される。これらの態様に対する様々な変更が当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない。
【図１】
2013524738.tif 000004
【図２】
2013524738.tif 000005
【図３】
2013524738.tif 000006
【図４】
2013524738.tif 000007
【図５】
2013524738.tif 000008
【図６】
2013524738.tif 000009
【図７】
2013524738.tif 000010
【図８】
2013524738.tif 000011
【図９】
2013524738.tif 000012
【図１０】
2013524738.tif 000013
【図１１】
2013524738.tif 000014
【図１２】
2013524738.tif 000015
【図１３】
2013524738.tif 000016
【図１４】
2013524738.tif 000017
【図１５】
2013524738.tif 000018
【図１６】
2013524738.tif 000019
【図１７】
2013524738.tif 000020
【図１８】
2013524738.tif 000021
【図１９】
2013524738.tif 000022
【図２０】
2013524738.tif 000023
【図２１】
2013524738.tif 000024
【国際調査報告】
2013524738.tif 000025
2013524738.tif 000026
2013524738.tif 000027